(57)【要約】  ゴルフバッグバナーは、少なくとも、第１の位置と第２の位置との間を移動可能な可撓性本体と、可撓性本体をゴルフバッグの移動可能な脚部に固定する連結器機構とを含む。固定具は、バナーを脚部の長さに沿って保持するように設けられる。スタンド機構は、バッグスタンド位置および格納位置を提供にするようにゴルフバッグ連結器に連結することができる。バッグバナーは、例えば、スタンド機構の２つの脚部間に連結するなど、スタンド機構に固定することができる。バッグバナーは、可撓性本体、例えば、少なくとも、スタンド位置と格納位置との間を移動可能な布と、可撓性本体を２つの脚部に固定する連結器システムとを含むことができる。バッグバナーには、ロゴ、およびメーカーまたはゴルファーが、自身のゴルフバッグで表示したいと思う他の表号を載せることができる。【選択図】  図１
2013529962.tif 000002
【特許請求の範囲】
【請求項１】
少なくとも、第１の位置と第２の位置との間を移動可能な可撓性本体と、
前記可撓性本体をゴルフバッグの脚部に固定する連結器機構と、
前記可撓性本体をゴルフバッグの前記脚部に沿って垂直方向に固定された状態に維持する固定具と、
を含むゴルフバッグバナー。
【請求項２】
前記可撓性本体は、格納位置とバッグスタンド位置との間を移動可能な前記ゴルフバッグ脚部を用いて折り畳むことができる軽量の布を含む、請求項１に記載のゴルフバッグバナー。
【請求項３】
前記可撓性本体は、多層布と、前記多層布の外面上の画像とを含む、請求項１または２に記載のゴルフバッグバナー。
【請求項４】
前記可撓性本体は、主要部と前記脚部に隣接して長手方向に延びる弾性縁取り部とを含む、請求項１〜３のいずれか一項に記載のゴルフバッグバナー。
【請求項５】
前記可撓性本体は、マグネット、ポケット、音楽再生装置、可撓性の細長い連結器、またはそれらの組み合わせの少なくとも１つを含む、請求項１〜４のいずれか一項に記載のゴルフバッグバナー。
【請求項６】
前記連結器機構は、前記可撓性本体に縫い付けられたストラップ、前記可撓性本体内のボタン穴またはスロット、前記ゴルフバッグの前記移動可能な脚部に巻き付けることができる所定の長さの材料、プラスチッククランプ、パラシュートクリップ、ストラップ、またはそれらの組み合わせの少なくとも１つを含む、請求項１〜５のいずれか一項に記載のゴルフバッグバナー。
【請求項７】
前記連結器機構は、ゴルフバッグの脚部と係合する非スライド面を含む、請求項１〜６のいずれか一項に記載のゴルフバッグバナー。
【請求項８】
前記連結器機構はクランプを含み、前記クランプは、ゴルフバッグの脚部と係合する非スライド面を含み、前記ゴルフバッグの前記脚部を上下にスライドしない、請求項１〜７のいずれか一項に記載のゴルフバッグバナー。
【請求項９】
前記連結器機構は、前記可撓性本体の外側縁部から形成された管状体を含む、請求項１〜８のいずれか一項に記載のゴルフバッグバナー。
【請求項１０】
前記連結器機構は、前記ゴルフバッグの移動可能な脚部を受け入れるのに適した前記可撓性本体に取り付けられた管状体を含む、請求項１〜９のいずれか一項に記載のゴルフバッグバナー。
【請求項１１】
前記可撓性本体は、弾性縁取り部、前記可撓性本体の１つまたは複数の縁取り部に沿ったマジックテープ材料、および前記可撓性本体の前記縁取り部に沿った１つまたは複数のジッパーの少なくとも１つ、またはそれらの組み合わせを含む、請求項１〜１１のいずれか一項に記載のゴルフバッグバナー。
【請求項１２】
前記可撓性本体は耐水性であり、後面および前面を含み、前記可撓性本体は、前記ゴルフバッグに隣接して縮んでいるか、または前記ゴルフバッグの脚部を用いて拡張されているかのいずれかの状態で、前記前面がタオルを湿気から保護するように、前記タオルを前記ゴルフバッグに近い前記後面に隣接して保持する、請求項１〜１１のいずれか一項に記載のゴルフバッグバナー。
【請求項１３】
スタンド付きゴルフバッグと共に使用するゴルフバッグ表示装置であって、
第１の縁部および第２の縁部を含むバナーと、
前記第１の縁部および前記第２の縁部の一方と隣接して長手方向に延びる補強材と、
少なくとも、前記バナーの第１の縁部および第２の縁部に取り付くように配置された連結機構の少なくとも一部分であって、前記バナーは、ゴルフバッグとゴルフバッグの第１の脚部と第２の脚部との間の空間にある平面の少なくとも一部分に広がる大きさとされる、連結機構の少なくとも一部分と、
を含み、
前記補強材ロッドは、前記ゴルフバッグの前記第１の脚部および前記第２の脚部の動作を妨害しないように、前記バナーを前記第１の脚部および前記第２の脚部の一方に沿って所定の位置に保持する、ゴルフバッグ表示装置。
【請求項１４】
前記バナーは、前記ゴルフバッグの前記第１の脚部と前記第２の脚部との間に収まる、請求項１〜１３のいずれか一項に記載のゴルフバッグ表示装置。
【請求項１５】
前記バナーは、前記ゴルフバッグの前記第１の脚部または前記第２の脚部の一方と前記ゴルフバッグとの間に収まる、請求項１〜１４のいずれか一項に記載のゴルフバッグ表示装置。
【請求項１６】
前記連結機構の前記少なくとも一部分は、前記バナーの前記第１の縁部または前記第２の縁部の一方の近くに配置された少なくとも１つの開口を含む、請求項１３〜１５のいずれか一項に記載のゴルフバッグ表示装置。
【請求項１７】
前記連結機構の前記少なくとも一部分は、前記ゴルフバッグの第１の脚部または第２の脚部の一方に取り付くように構成された連結器を含む、請求項１３〜１６のいずれか一項に記載のゴルフバッグ表示装置。
【請求項１８】
前記連結機構の前記少なくとも１つの部分は、前記バナーに取り付けられたストラップを含み、前記ストラップは、前記ゴルフバッグの周縁部を囲んで密着する大きさとされる、請求項１３〜１７のいずれか一項に記載のゴルフバッグ表示装置。
【請求項１９】
前記連結機構の前記少なくとも１つの部分は、前記バナーの前記周縁部の近くの材料縁縫い部を含む、請求項１３〜１８のいずれか一項に記載のゴルフバッグ表示装置。
【請求項２０】
前記補強材は前記縁縫い部内に配置されただぼを含む、請求項１３〜１９のいずれか一項に記載のゴルフバッグ表示装置。
【請求項２１】
前記連結機構の前記少なくとも１つの部分は、前記縁縫い部内に配置されたコードを含む、請求項１３〜２０のいずれか一項に記載のゴルフバッグ表示装置。
【請求項２２】
前記バナーはメッシュ材料を含む、請求項１〜２１のいずれか一項に記載のゴルフバッグ表示装置。
【請求項２３】
前記バナーに取り付けられた少なくとも１つの付属品をさらに含む、請求項１３〜２２のいずれか一項に記載のゴルフバッグ表示装置。
【請求項２４】
前記材料は、少なくとも１つのポケットを含む、請求項１３〜２３のいずれか一項に記載のゴルフバッグ表示装置。
【請求項２５】
前記バナーは、実質的に、ゴルフバッグとゴルフバッグの第１の脚部と第２の脚部との間の空間にある少なくとも１つの平面に広がる大きさとされる、請求項１３〜２４のいずれか一項に記載のゴルフバッグ表示装置。
【請求項２６】
ゴルフクラブを受け入れる容器と、
前記容器に連結され、スタンド位置と格納位置との間を移動可能な少なくとも２つの脚部を含むスタンドと、
前記２つの脚部間に連結されたバッグバナーと、
を含むゴルフバッグであって、前記バッグバナーは、
少なくとも、スタンド位置と格納位置との間を移動可能な可撓性本体と、
ひだ状にならず、前記スタンドの動作を妨害しないように前記可撓性本体を脚部の長さに沿って保持する配置機構と、
前記可撓性本体を前記２つの脚部に固定する連結器機構と、
を含む、ゴルフバッグ。
【請求項２７】
前記配置機構は、前記バッグバナーの縁部に沿って延びる補強ロッドを含む、請求項２６に記載のゴルフバッグ。
【請求項２８】
前記可撓性本体は、前記補強ロッドに隣接する開孔を含み、前記連結器機構は、前記補強ロッドおよび前記ゴルフバッグ脚部の１つと係合するように前記開孔を貫通する、請求項２６または２７に記載のゴルフバッグ。
【請求項２９】
前記連結器機構は、前記バッグバナーを前記２つの脚部に固定するように前記配置機構と係合する、請求項２６〜２８のいずれか一項に記載のゴルフバッグ。
【請求項３０】
前記可撓性本体は、第１の縁部および第２の縁部を含み、前記配置機構は、前記第１の縁部に隣接して延びる第１の補強ロッドと、前記第２の縁部に隣接して延びる第２の補強ロッドとを含み、前記連結器機構は、前記第１の補強材ロッドおよび前記２つの脚部の第１の脚部と係合する第１の連結器と、前記第２の補強材ロッドおよび前記２つの脚部の第２の脚部と係合する第２の連結器とを含む、請求項２６〜２９のいずれか一項に記載のゴルフバッグ。
【発明の詳細な説明】
【技術分野】
【０００１】
関連出願の相互参照
本出願は、「ゴルフバッグバナー」と題して２０１０年５月２６日に出願された米国仮特許出願第６１／３４８，６５８号の利益を主張するものであり、この特許は、参照により、任意の目的で本明細書に援用するものとする。
【背景技術】
【０００２】
ゴルフというスポーツは、主要な職業的および娯楽的活動である。米国のみでも何百万人もの人々が定期的にスポーツをする。個々のプレイヤーは、多くの場合、服装によって、およびプレーの質によって他のゴルファーとの違いを示すことを望む。多くのゴルファーは、帽子、シャツ、およびクラブカバーを含む特定のゴルフウェアおよび用品に付けたブランドおよび様々な表号を見せることを楽しむが、他の提示手段がゴルファーおよび広告主から望まれている。
【０００３】
ゴルフバッグポーチ構造が、２００４年１１月２５日に公開された米国特許出願公開第２００４／０２３０１７号明細書に記載されており、この特許は、要約すると、起立したゴルフバッグの脚部間の平面内に配置され、ゴルフバッグの脚部の平面とゴルフバッグの側面との間に配置されたゴルフクラブポーチ構造について述べている。
【発明の概要】
【課題を解決するための手段】
【０００４】
ゴルフバッグバナーは、少なくとも、第１の位置と第２の位置との間を移動可能な可撓性本体と、可撓性本体をゴルフバッグの移動可能な脚部に固定する連結器機構とを含むことができる。固定具は、可撓性本体をゴルフバッグの脚部に沿って垂直方向に固定された状態に維持する。その結果、ゴルフバッグバナーは、ゴルフバッグのスタンド機構の動作を妨げる可能性がほとんどない。バッグバナーは、ゴルフバッグの脚部間および／または脚部とゴルフバッグ自体との間に広がることができる。
【０００５】
ゴルフバッグは、ゴルフクラブを受け入れる容器と、容器に連結され、スタンド位置と格納位置との間を移動可能な少なくとも２つの脚部を含むスタンドと、２つの脚部間に連結され、少なくとも、スタンド位置と格納位置との間を移動可能な可撓性本体を含むバッグバナーと、可撓性本体を２つの脚部の少なくとも一方に固定する連結器機構とを含むことができる。可撓性本体をゴルフバッグの脚部に沿って垂直方向に固定された状態に維持するために、固定具構造体が設けられる。その結果、ゴルフバッグバナーは、ゴルフバッグのスタンド機構の動作を妨げる可能性がほとんどない。
【０００６】
ゴルフバッグバナーは、ゴルフというスポーツのプレー中または練習中に使用する補助的な付属品を提供することができる。バナーおよび任意の補助的付属品は、スタンド機構がその通常の態様で機能するのを妨げない。
【図面の簡単な説明】
【０００７】
【図１】ゴルフバッグと、ゴルフバッグスタンドの２つの脚部間に連結されたバッグバナーの実施形態とを示している。
【図２】図１に示すゴルフバッグおよびバッグバナーの正面図を示している。
【図３】スタンドの脚部が格納位置にあり、バッグバナーの実施形態が折り畳んだ、またはコンパクト化した構成にあるゴルフバッグを示している。
【図４】スタンドの脚部が格納位置にあり、バッグバナーの実施形態が折り畳んだ、またはコンパクト化した構成にあるゴルフバッグを示しており、バッグバナーはゴルフバッグスタンド機構に干渉していない。
【図５】ゴルフバッグおよびバッグバナーの実施形態を示しており、バッグバナーは、取り付け可能な部材に連結する、または取り付けるための実用コードを含む。
【図６】ゴルフバッグおよびバッグバナーの実施形態を示しており、バッグバナーは、取り付け可能な部材に連結する、または取り付けるための実用コードを含む。
【図７】ゴルフバッグおよびバッグバナーの実施形態を示しており、バッグバナーは表号を表示している。
【図８】バッグバナーをゴルフバッグスタンドの脚部に連結する連結器機構として使用できるスロット付きストラップを示している。
【図９】ストラップを閉じた状態で固定できる固定突起が見える、図８のスロット付きストラップの反対側を示している。
【図１０】ゴルフバッグスタンドの脚部を囲んで固定された図８のスロット付きストラップと、スロット付きストラップのスロットを通り抜けた固定用ポストの１つとを示している。
【図１１】バッグバナーをゴルフバッグスタンドの脚部に連結する連結器機構として使用できる、ロッドを備えたスロット付きストラップを示している。
【図１２】ゴルフバッグスタンドの脚部を囲んで固定された図１１のスロット付きストラップを示し、スロット付きストラップのスロットを通り抜けたスロット付きストラップのロッドを示している。
【図１３Ａ】バッグバナーをゴルフバッグスタンドの脚部に取り付ける連結器機構として使用できるクランプを示している。
【図１３Ｂ】バッグバナーをゴルフバッグスタンドの脚部に取り付ける連結器機構として使用できるクランプを示している。
【図１４】ゴルフバッグスタンドの脚部を囲んで閉じた状態にある図１３のクランプを示している。
【図１５】バッグバナーをゴルフバッグスタンドの脚部に取り付ける連結器機構として使用できる包囲装置を示している。
【図１６】バッグバナーをゴルフバッグスタンドの脚部に取り付ける連結器機構として使用できる結束ケーブルを示している。
【図１７】バッグバナーをゴルフバッグスタンドの脚部に取り付ける連結器機構として使用できる結束ケーブルを示しており、結束ケーブルは非スリップ性の裏当てを有する。
【図１８Ａ】例示的な実施形態による、バナーが取り付けられたゴルフバッグの例を示している。
【図１８Ｂ】例示的な実施形態によるバナーの正面図を示している。
【図１９Ａ】例示的な実施形態による、バナーが取り付けられたゴルフバックの例の側面図を示している。
【図１９Ｂ】例示的な実施形態によるバナーの正面図を示している。
【図１９Ｃ】例示的な実施形態による、ゴルフバッグから外したバナーを示している。
【図２０】例示的な実施形態による、バナーをゴルフバッグの脚部に固定するためのクランプを示している。
【図２１】例示的な実施形態による、ゴルフバッグおよびバッグバナーの一実施形態を示している。
【図２２】バッグバナーの１つの例示的な実施形態で連結システムの一部として使用されるＣ字形状のクランプの平面図を示している。
【図２３】例示的な実施形態によるブリッジを示しており、クランプまたは連結器はブリッジを貫通し、次いで、脚部につながることができる。
【図２４】例示的な実施形態による、スタンド機構の脚部に取り付けられたバナーの斜視図を示している。
【図２５】例示的な実施形態による、連結システムの一部として使用されるクランプの平面図を示している。
【図２６】別の例示的な実施形態による連結器の平面図を示している。
【図２７】別の例示的な実施形態による、脚部に取り付けられたバナーの断面図を示している。
【図２８】別の例示的な実施形態による、スロットを有する脚部の側面図を示している。
【図２９】例示的な実施形態による、取り外し可能なポケットが設けられたバナーの実施形態を示している。
【図３０Ａ】例示的な実施形態による、ゴルフバッグの第１の脚部と第２の脚部との間に配置されたバナーの様々な部分図を示している。
【図３０Ｂ】例示的な実施形態による、ゴルフバッグの第１の脚部と第２の脚部との間に配置されたバナーの様々な部分図を示している。
【図３０Ｃ】例示的な実施形態による、ゴルフバッグの第１の脚部と第２の脚部との間に配置されたバナーの様々な部分図を示している。
【図３０Ｄ】例示的な実施形態による、ゴルフバッグの第１の脚部と第２の脚部との間に配置されたバナーの様々な部分図を示している。
【図３０Ｅ】例示的な実施形態による、ゴルフバッグの第１の脚部と第２の脚部との間に配置されたバナーの様々な部分図を示している。
【図３０Ｆ】例示的な実施形態による、ゴルフバッグの第１の脚部と第２の脚部との間に配置されたバナーの様々な部分図を示している。
【図３１Ａ】例示的な実施形態による、ゴルフバッグスタンドの１つの脚部とゴルフバッグとの間に配置されたバナーの様々な部分図を示している。
【図３１Ｂ】例示的な実施形態による、ゴルフバッグスタンドの１つの脚部とゴルフバッグとの間に配置されたバナーの様々な部分図を示している。
【図３１Ｃ】例示的な実施形態による、ゴルフバッグスタンドの１つの脚部とゴルフバッグとの間に配置されたバナーの様々な部分図を示している。
【図３１Ｄ】例示的な実施形態による、ゴルフバッグスタンドの１つの脚部とゴルフバッグとの間に配置されたバナーの様々な部分図を示している。
【図３１Ｅ】例示的な実施形態による、ゴルフバッグスタンドの１つの脚部とゴルフバッグとの間に配置されたバナーの様々な部分図を示している。
【図３１Ｆ】例示的な実施形態による、ゴルフバッグスタンドの１つの脚部とゴルフバッグとの間に配置されたバナーの様々な部分図を示している。
【図３２】例示的な実施形態による、ソーラパネルが設けられたバナーの実施形態を示している。
【図３３】例示的な実施形態による、ソーラパネルが設けられたバッグ側部バナーの実施形態を示している。
【図３４】例示的な実施形態による、ただ１つの脚部を有する機械式スタンドおよびバナーの実施形態を示している。
【図３５】例示的な実施形態による、側部バナーをゴルフバッグに連結するシステムを示している。
【図３６】例示的な実施形態による、ゴルフバッグを保護するためのショールの実施形態を示している。
【図３７】例示的な実施形態による、３面表示装置の平面図を示している。
【図３８】例示的な実施形態による、別の３面表示装置の平面図を示している。
【図３９】例示的な実施形態による、スタンド機構の脚部に取り付けられた３面バナーの側面図を示している。
【図４０】例示的な実施形態による、スタンド機構の脚部に取り付けられた３面バナーの斜視図を示している。
【図４１Ａ】例示的な実施形態による、ゴルフバッグ用のスタンド機構の脚部に取り付けられた出力装置の図を示している。
【図４１Ｂ】例示的な実施形態による、ゴルフバッグ用のスタンド機構の脚部に取り付けられた出力装置の図を示している。
【図４１Ｃ】例示的な実施形態による、ゴルフバッグ用のスタンド機構の脚部に取り付けられた出力装置の図を示している。
【図４２Ａ】例示的な実施形態によるバナー連結器の図を示している。
【図４２Ｂ】例示的な実施形態によるバナー連結器の図を示している。
【発明を実施するための形態】
【０００８】
すべての図は、本開示の基本的な記述および教示に関する説明を容易にするために示される。実施形態を形成する部品の数量、位置、関係、および寸法に関して図を補足するものについては、本明細書でさらに説明されるか、または以下の説明が読まれ、かつ理解された後、当業者によって推察される。特定の力、重量、強度、流れ、使用法、および同様の要件に適合する正確な寸法および寸法比についても同様に、以下の説明が読まれ、かつ理解された後、当業者の技能の範疇に入るものである。
【０００９】
図面の様々な図で使用される場合、同じ数字は同じまたは同様の部品を示す。さらに、「上部」、「底」、「右」、「左」、「前方」、「後方」、「第１の」、「第２の」、「内側」、「外側」という用語、および同様の用語が使用される場合、これらの用語は、図面を基準として解釈されるべきであり、示した実施形態の説明を容易にするためにのみ使用されるべきである。これらの用語が典型的に使用されるときに、通常、これらの用語は、図面に示す構造体を参照した結果であり、図面に示す構造体を参照して解釈されるべきである。
【００１０】
本発明者は、ゴルフの試合中に、簡便な装置がゴルフバッグに機能を追加し、広告、団体、表号、識別表示、ロゴ、絵、メッセージなどを表示することを、ゴルフコミュニティにおいてこれまでまだ対処されていない要求であると認識した。さらに、本発明人は、バナーがスタンド機構の動作を妨害する可能性を低くするために、ゴルフバッグのスタンド機構の脚部に取り付けられるバナーを改良した。
【００１１】
最新のゴルフバッグの多くは、バッグが水平な面でなくてもよい適切な面に配置された場合に、バッグがそれ自体で直立するのを可能にする機構を含む。ゴルフバッグは、一般的にはゴルフクラブおよび他の付属品用の容器である。ゴルフバッグは、容器から延びる脚部、ポール、またはポストを含むことができる。一部のゴルフバッグは、移動可能な脚部を持つスタンド機構を有する。移動可能な脚部は、少なくとも２つの位置、すなわち、スタンド（または拡張）位置および格納位置を有するように設計されている。バッグを運ぶ場合、脚部は格納位置にある。ゴルファーが、ゴルフバッグ１０の底を地面に置いた場合、脚部はスタンド位置にある。ゴルフバッグ１０の底は、バッグ１０の重量がレバーにかかったのに呼応して、脚部１２をスタンド位置に展開する機械式レバーを含むことができる。脚部１２がスタンド位置または起立位置にある場合、バッグはほぼ直立した状態のままである。直立位置では、ゴルフクラブのシャフトは、バッグ開口を通って地面の上に延びることができる。脚部１２は、格納位置と最大限に拡張した位置との間の中間位置にあることもできる。バッグスタンドは、１９７０年代に開発が始まったが、１９８０年代の中頃に広く受け入れられ始めた。
【００１２】
本発明人は、スタンドの脚部間および脚部とバッグとの間の領域を革新技術のための未開発または未認識領域と見なした。ゴルフは、特定のブランド製品を好む人たちの要求に応える。ロゴ付きのシャツ、帽子、および用品は、スポーツでは常識である。ゴルファーは、一般に対抗意識があり、うまく気持ちが癒やされることから、最良かつ最新の用品を有することを見せたがり、そこかしこで数ストロークを稼ぐか、またはゴルフコースでの楽しみを増やすかのいずれかのために、最新かつ最良の用具およびゴルフ用品を購入する。広告主およびメーカーは、それらのブランドを表示する新たな方法を常に探している。ゴルフスタンドの脚部間の空間は、広告主のための絶好の表示空間になる。これに加えて、ゴルフは通常個人的な競技である。ただし、高校、大学、およびプロでさえ団体戦がある（例えば、Ｒｙｄｅｒ  Ｃｕｐ）。現在のところ、チームの所属をセンスよく表示する機会はほとんどない。ゴルフスタンドの脚部間の空間はまた、チームがチームの所属を表示することを可能にする。本明細書で説明する発明には、バッグスタンドの脚部間および／または脚部の少なくとも１つと実際のゴルフバッグとの間に取り付けることができる様々なバナーまたは表示手段が含まれる。表示手段には、下記に説明するように、様々な特徴部が設けられ、付属品が付けられる。以下の段落において、様々な実施形態が詳述される。
【００１３】
図１〜４は、バッグバナー２０を有するゴルフバッグ１０を示しており、バッグバナー２０は、ゴルフバッグ１０のスタンド機構１４に付属する、１つまたは複数のポストあるいは脚部１２などのポストに取り付けることができる。ゴルフバッグは、ゴルフクラブが収容される容器を画定する。図１〜２は、脚部１２が拡張された起立位置にあるバッグを示している。図３〜４は、格納位置にあるゴルフバッグの脚部１２を示している。示すように、スタンド機構１４は、少なくとも２つの脚部１２と、脚部１２を格納位置から起立位置に移動させるアクチュエータ装置とを含む。起立位置では、クラブがバッグ内に保持され、地表面までかがむことなしに、または片手でクラブをバッグから取り出しながら、他方の手でバッグを保持することなしに、使用者がクラブを出し入れするのが可能になる。起立位置では、バッグがある程度地面より上に維持されるので、ゴルファーは、ショットの合間に、地面に水平に置かれたバッグを拾い上げるためにかがむ必要がない。一例として、起立位置では、ゴルフバッグは、バッグが立っている地面などの面に対して約４５°以上の角度をなして配置される。脚部１２およびゴルフバッグの底の一部分は三脚を形成している。その結果、ゴルフバッグはそれ自体で立った状態を維持する。ゴルファーは、バッグの底の閉じた端部と合致する、完全に水平な地面を見つけるのに時間を費やす必要がない。ゴルファーは、重心がゴルフバッグの中心線上にないのを、または、ときには、クラブヘッドが、ゴルフバッグの開いた上部より上に延びるために、ゴルフバッグの上部が重くなったのを補償する必要がない。脚部１２は、ゴルフバッグ１０の上部開口端の近くに配置された回動軸から通常片持ち式に突出し、通常その回動軸から回動する。一部の実施形態では、スタンド機構２５は、バッグが自立位置に移動しない場合、脚部１２を格納された状態に維持するように脚部１２の回動を制御する。様々なゴルフバッグスタンド機構の例は、米国特許第４，８３４，２３５号明細書、同第４，９４９，８４４号明細書、同第５，１４７，０８９号明細書、同第５，１５６，３６６号明細書、同第５，１５６，３６６号明細書、同第５，３４０，６３０号明細書、同第６，０６２，３８３号明細書で見ることができ、これらの特許のすべては、参照により、任意の目的で本明細書に援用される。ただし、参照により援用される文献の任意の開示が本開示と矛盾する場合、本開示に基づき解釈がなされる。スタンド機構によっては、ゴルフバッグの底の移動可能な足部から脚部に向かって上方に、上方に延びるアクチュエータロッドがある。アクチュエータロッドは、格納位置と拡張位置との間で脚部を押し進める。構成要素間の機構および連結器は、通常、ゴルフバッグの周囲環境に対して露出しており、ゴルフバッグのまわりの部材と接触することがある。
【００１４】
１つの例示的な実施形態では、バッグバナー２０は、ゴルフバッグ１０の２つの脚部１２間に延びる。バッグバナー２０は、スタンド機構２５によって画定される領域、例えば、２つの脚部１２間の領域および／または脚部とゴルフバッグとの間の領域を占める。一例では、バッグバナー２０は、バッグの容器部分から外側に延びる。バッグバナー２０は、可撓性本体２２を含むことができる。バッグバナー２０はまた、バナーをスタンド機構に固定する少なくとも１つの連結器３０を含む。一例では、複数の連結器３０が、バナー２０の縁部をゴルフバッグスタンド１４の脚部１２に連結する。連結器３０は、任意のタイプのクリップ、留め具、フックアンドループ、ボタン、または他の機械式連結器、あるいはバッグバナー２０をゴルフバッグスタンド１４の脚部１２に連結する他の装置とすることができる。連結器は、単一の機構またはクリップ、あるいは複数の機構またはクリップなどとすることができる。例示的な実施形態では、連結器３０は、バナー２０をスタンド２５の脚部１２に接着または固定する。連結器３０は、バナーをスタンドに連結する任意の機構とすることができる。連結器３０は、バナーの可撓性本体２２をゴルフバッグ１０の移動可能な脚部１２に固定する。バナー２０は、連結器３０が固定され得る可撓性本体から延びる補助タブを含むことができる。そのようなタブは、可撓性本体から横に延びることができる。タブは、一例では弾性とすることができる。一例では、連結器機構３０は、２つ以上の位置でバナー２０を脚部１２に固定する。一例では、連結器機構３０は、４つ以上の位置でバナーを脚部１２に連結する。さらなる例では、連結器３０は、バナー２０の隅部を脚部１２に固定する。
【００１５】
脚部１２は、スタンド位置において、バッグから外側に延び、自由端で互いから外側に延びるので、バッグバナー２０は略台形の形状を有する。台形形状の両側部は、例えば、バナー２０の性質のために、またはバッグバナー２０をゴルフバッグの脚部１２に取り付けるために、完全に直線状でないことがあるのは当然である。バッグバナー２０の他の形状、例えば、他の平行四辺形、三角形、楕円形、円形なども本開示の範囲内である。なお、バッグバナー２０の形状は、様々な構造のゴルフバッグスタンド機構１４に合わせることができることに留意したい。例えば、長方形版のバッグバナー２０は、ゴルフバッグスタンド機構１４が、実質的に平行な状態で起立位置に展開する複数の脚部１２を含む場合に使用することができる。バナー２０は、脚部間に延びる細いストリップとすることもできる。一部の実施形態では、バナー２０は、連結器３０によって、ゴルフバッグのスタンド機構１４に簡便に着脱することができる。取り付けは、使用者が手で行うことができる。他の実施形態では、バナーは、そのような連結機構によってゴルフバッグのスタンド部分に恒久的に固定することができる。連結器３０による恒久的な固定は、ゴルフバッグのメーカーで行うことができる。一例では、連結器３０は、バナーをゴルフバッグの少なくとも１つの部品または部分に連結することができる。他の連結器は、バナー２０をゴルフバッグに固定することができる。
【００１６】
固定具３５は、バッグバナーおよび／または連結器３０の少なくとも一方に連結される。図１に示す例では、固定具３５は、バナーの各側部に沿った補強部材を含む。補強部材は、バナーのそれぞれの縁部に沿って連結されるロッドまたはだぼとすることができる。補強部材は、バナーを形成する可撓性布よりも剛性が高い材料とすることができる。補強部材は、バナーの材料が、複数回折り重ねられるか、または互いに縫製された、もしくは接着された材料の層を含む、縁部に沿った多層の縁縫いとすることができる。図２に示す例では、固定具は、連結器３０に隣接する、または組み込まれたストッパである。特定の例では、ストッパは、底部連結器が脚部を上がっていくのを防止する脚部上の突起である。ストッパは、上部連結器が脚部を滑り降りるのを防止するために、上部連結器３０の下に設けられる。固定具は、連結器３０に組み込むことができる。一例では、固定具は、脚部と接触し、連結器３０が脚部上をスライドするのを防止する、連結器上の非スライド面コーティングまたは層である。非スライド面は、ゴルフバッグの脚部と接触する連結器の面に接着剤を含むことができる。固定具３５は、バナーをゴルフバッグの脚部上の所定の位置に保持し、バナーが脚部上を上下に移動するのを防止するように機能する。脚部に沿ったバナーの垂直方向の移動により、バナー２０がひだ状になり、場合によってはスタンド機構に絡まることがある。
【００１７】
見やすくするために、図３〜７では固定具３５が示されていない。しかし、図３〜７に示す例または他の実施形態／実施例のいずれにも固定具３５を使用することができる。これらの例では、固定具は、バナーを脚部に沿って引き延ばした状態に維持するように機能することができ、一方、バナーは、ゴルフバッグ脚部を横方向に自由に保つ。
【００１８】
ゴルフバッグバナー２０は、少なくとも、第１の位置（例えば、図１、図２および図５〜図７の実施形態）と第２の位置（例えば、図３および図４の実施形態）との間を移動可能な可撓性本体２２を含む。可撓性本体２２は、移動可能なゴルフバッグ脚部１２（１つまたは複数）を用いて、バナー２０がスタンド機構１４の動作を妨害しないように、格納位置とバッグ起立位置との間で折り畳むことができる軽量の布を含むことができる。すなわち、スタンド機構１４は、スタンド機構１４に取り付けられたバナー２０と共に格納位置からバッグ支持位置まで移動することができる。一例では、バナー２０は、スタンド脚部１２の少なくとも１つと干渉しない。可撓性本体２２は織布とすることができる。一例では、材料はリップストップ材料とすることができる。リップストップ材料は、リップストップ補強糸を網目状パターンで織り交ぜた軽量ナイロン布地とすることができる。そのような材料は、多数の様々な色、サイズ、および厚さとすることができる。材料は、裂けが広がらないように間隔を置いて配置された、強くて粗いたて糸およびよこ糸で織られている。一例では、布は撥水性の布である。一例では、布は、ゴルファーが手を乾かす、または用具を清浄する／乾かすために使用できる、例えば、テリークロスなどの吸水性の布である。可撓性本体２２は、主要部と、脚部と共に長手方向に延びる弾性縁部とを含むことができる。弾性縁部（１つまたは複数）により、脚部がゴルフバッグを支持するためにスタンド位置に拡張された場合に、バナー２０が、脚部１２の寸法に合わせて広がることが可能になる。一例では、連結タブが弾性縁部から横に延びた。連結器３０は連結タブに固定することができる。一部の例では、バナー２０は、（基本的にバッグに対接して配置された）完全な後退と、（スタンド機構１４か、またはバッグバナーのいずれかが許す最大量までバッグから離れた）完全な拡張との間の脚部１２の位置のすべてに移動可能である。一部の例では、脚部１２は、立った位置でゴルフバッグを支持するために完全に拡張される必要はない。
【００１９】
バナー２０は、多層布をさらに含むことができる。布の外側層は、撥水性（合成材料、例えば、ナイロン）とすることができ、内側層（１つまたは複数）は、吸水性の、例えば、テリークロス、または布状の他のタオルとすることができる。一例では、外側層は、フラッシュスパン（ｆｌａｓｈｓｐｕｎ）高密度ポリエチレン繊維または他の不織布合成材料で作製することができる。そのよう外側層は、非常に高強度であるが、裂けに対する耐性がある。これらの材料は通気性が高いが、耐水蒸気性または耐水性がある。一例では、外側の撥水層は、他の下層に取り外し可能に取り付けられる。可撓性本体２２は、例えば、外側に撥水層があり、撥水層の下に吸水性布がある多層構造とすることができる。その結果、外側層は、雨の中でゴルフをするときに下層を乾燥した状態に維持する。ゴルファーは下層を使用して、手またはゴルフ用品を乾かすことができる。さらに、下層は、ゴルフバッグ内の閉じたポケットに保管されないので、容易に利用することができる。一例では、層は、（図２に示す）ポケット２４を画定するように形成することができる。ポケット２４は、箱に入ったゴルフボール、３つ以上のゴールドボール、携帯用ビデオプレイヤー、または携帯用音楽プレイヤーを密着して保持するように小さくすることができる。ポケットは、上部および底層の中ほどに配置されるように中型とすることができる。ポケット２４は、基本的にバナーの大きさ全体を拡張する大型ポケットとすることができる。ポケット２４は、毛皮を裏当てするか、または軟らかい布地、例えば、テリークロスまたは綿を裏当てすることができ、ゴルフバッグを搬送中にポケットの中身がたてる騒音を低減することができる。さらに、バナー２０を折り畳むことで、ポケットの中身が騒音をたてるのを防止するようにさらに機能することができ、一方で、ゴルフバッグがスタンド位置にある場合に、中身を容易に出し入れすることが可能である。
【００２０】
バナー２０は、様々な改造および付属品２３（図１）を含むことができる。改造および付属品２３の例には、ポケット２４（図２）、連結コード４１（図２）、バッグ４４（図６）および／または実用装置があり得る。図６は、バッグバナー２０の例示的な実施形態を有するゴルフバッグを示しており、バッグバナーは、物体を連結する実用コードと、バナーに取り付けられた特大のポケットまたは第２のバッグ４４とを含む。
【００２１】
ゴルフコースで使用できる、またはゴルフコースで持っていたい任意およびすべての装置をバナー２０に取り付けることができる。一部の実施形態では、バッグバナー２０は、可撓性本体２２に固定された１つまたは複数のマグネットを含むことができる。一部の実施形態では、可撓性本体は、１つまたは複数のポケット２４を含むことができる。一部の実施形態では、付属品２３は、ラジオ、携帯用音楽装置などからの音を再生できる、可撓性本体２２に支持された１つまたは複数のスピーカーを含むことができる。一実施形態では、ポケット２４は、スピーカーを受け入れるように大きさを調整して形成することができる。ポケット２４は、バナーの材料がスピーカーの出力を遮断しないようにスピーカーを覆う外側メッシュ材料または網タイプの材料を含むことができる。一部の実施形態では、可撓性本体２２は、付属品を取り付けることができる１つまたは複数の可撓性の細長い連結器、例えば、連結コード４１を含むことができる。他の装置および付属品には、電灯、発光ダイオード、太陽電池、および他の電子装置があり得る。
【００２２】
透明の外側カバーを有するポケット２４はバナー２０内に存在することができる。ポケット２４は写真を保管することができ、写真は、バナーの外側から見えるようにバナーのポケットに配置することができる。そのようなポケット２４はまた、ライセンスまたは他の認証書を保持することもできる。
【００２３】
第２のバッグ４４は、撥水性または非透水性の外側層と、ゴルフクラブのグリップまたはゴルファーの手を乾かすのに使用できる吸水性の内側層とを有する湿らないバッグとすることができる。内側層は、クラブの把持を改善する粘着層をさらに含むことができる。さらなる例では、バッグ４４は、第２のバッグ４４から延びて、ゴルフバッグ１０の上部およびゴルフバッグ１０から延びるクラブヘッドを覆うことができるゴルフバッグカバーを収容することができる。これは、悪天候において、またはクラブを保管する場合に有用である。
【００２４】
使用時、ゴルフバッグが立った状態にある場合、移動可能な脚部１２は通常格納位置にあるので、ゴルフバッグ１０は、その使用者が簡便に持ち歩くことができる。この位置では、バナー２０は、折り畳まれた、またはコンパクト化された構成（格納位置）にあり得るので、ゴルフバッグの搬送を妨げることはない。可撓性であることで、バナー２０は、そのコンパクトな構成と、その拡張された表示構成（スタンド位置）との間を自由に移動することができる。ゴルフバッグ１０が「着地した」または起立した状態にある場合、ゴルフバッグ１０の移動可能な脚部１２は通常、三脚構成を形成するようにゴルフバッグ１０から延びる。脚部１２は、バッグ１０の中間長さより上から片持ち支持されるので、脚部１２の下側自由端は、三脚構成で地面と接触する。脚部１２の自由端はまた、一例では、三脚構成に展開されるときに互いから外側に移動する。ゴルフバッグ１０の２つの移動可能な脚部１２に固定できるバナー２０は、脚部１２が展開される限り、表示状態にあるように折り畳みを解く、またはコンパクト化を解くことができる。表示状態は、バッグ１０が着地した状態で、実質的に平坦な構成、または広がった構成とすることができる。固定具３５は、脚部の折り畳みを解いた状態および折り畳んだ状態の両方において、バナーをゴルフバッグの脚部に沿って引き延ばした定位に維持するように機能し、バナーがスタンド機構の動作を妨害する可能性を低くする。
【００２５】
図７は、ゴルフバッグ１０およびバッグバナー２０を示しており、バッグバナー２０は、例示的な実施形態による表号を見せている。脚部を展開することでバナー２０が展開されて、例えば、図７に示すように、バナー２０を展示することが可能になるので、バナー２０上の任意の画像を見ることができる。見ることができる画像には、表号、ロゴ、学校名、会社名、広告などが含まれる。一例では、プレイヤーの名前および／または番号、さらにはゴルフチームに属するプレイヤーのチーム名がある。着地した、または展開した状態では、必要に応じてバナー２０に連結することができる任意の付属品（例えば、バナー上のポケット２４、ツール、または装置）を簡便に利用することが可能になる。
【００２６】
上記のように、ゴルフバッグバナー２０の可撓性本体２２は、少なくとも、第１の位置と第２の位置との間を移動可能である。第１の位置では、ゴルフバッグ１０が搬送される、またはしまわれる場合などに、バッグバナー２０は、折り畳んだ、またはコンパクト化した構成とすることができる。コンパクト化した構成では、脚部１２がそれらの非スタンド位置または格納位置に後退するのを可能にするように、可撓性本体２２が折り重なる。これは、折り畳んだ位置または未展開位置とも呼ぶことができる。可撓性本体２２はさらに、脚部１２とバッグ１０との中間で脚部１２の後ろに延びることができ、スタンド機構１４の動作を妨害することができない。第２の位置において、バッグバナーは折り畳みを解除する、またはコンパクト化を解除することができ、それにより、バッグが着地した、または起立した状態にあるときに、バッグバナーの可撓性本体を実質的に平坦な構成にする。
【００２７】
バッグバナー２０の可撓性本体２２は、ゴルフバッグ１０の移動可能な脚部１２が、例えば、ゴルフバッグ１０の三脚状の起立位置から格納されるときに適切にコンパクトになる、または折り重なる任意の材料で作製することができる。材料は、例えば、織布材料とすることができる。材料は、不織布ポリマーとすることができる。材料は弾性とすることができる。材料は、例えば、１ポンド未満の軽量とすることができる。材料は、バナー２０がゴルフコースで日光に当たっても色あせしない特性を有することができる。材料は耐水性とすることができ、かつ／またはバナーは撥水性の外側層を含むことができる。材料は網状材料とすることができ、必要に応じて、印刷物が網上にあるか、または材料の独立した部分が網に取り付けられ、材料の独立した部分は、例えば、単語またはデザインなどの画像（図７に示す）を含むことができる。材料は、多層構造とすることができる。材料は、合成品、天然品、ポリマー、ナイロン、またはそれらの組み合わせとすることができる。
【００２８】
一部の実施形態では、バッグバナー２０の可撓性本体２２は、主要部および縁部を含むことができる。縁部は、材料の物理的補強材として機能して耐久性を高めることができる。縁部は弾性とすることができる。弾性材は、例えば、可撓性本体２２の各縁部に含まれる縁取りとすることができるし、または弾性材は、ゴルフバッグ１０の脚部１２と共に長手方向に延びることができて、可撓性本体２２は、ゴルフバッグ１０の脚部１２が拡張位置にあるときに張った状態で広げられる。弾性材は、移動可能な脚部１２を拡張および後退させるゴルフバッグ１０の機構１４から離れる方向に可撓性本体を案内するように機能することができる。縁部は、バッグバナー２０をゴルフバッグの脚部に沿って延びた状態に維持する固定具、例えば、バナーを延びた状態に維持する補強材を含むことができる。
【００２９】
一部の実施形態では、ゴルフバッグ１０は、脚部１２を格納位置から拡張位置に拡張させて、バッグ１０が三脚構成で立つことができるようにするスタンド機構、例えば、リンク機構を動作させるレバーを含む。バッグ１０が持ち上げられるか、またはレバーが逆の態様で作動されると、ゴルフバッグ１０の脚部１２が畳まれ、バナー２０は脚部１２と共に畳まれて、結局、バナー２０は、脚部１２の格納機構を妨害しない態様で脚部１２間に折り畳まれる。
【００３０】
図７を再度参照すると、図７は画像４５を含むバナーを示している。バナー２０の面は任意の所望する色とすることができる。バナー２０は、需要者が望むとおりにカスタム印刷するのに適した白紙の面を有することもできる。バナー２０は、様々なメッセージ、表号、および／または広告を表示することができる。例えば、ゴルフ製品の会社名などの会社名またはロゴをバナー２０に刷ることができる。表示には、テキスト、画像４１、後援者識別表示、ゴルファー識別表示、チームロゴを含む商標、修正した運動用ジャージなどがあり得る。示した例では、画像には、チームロゴ、プレイヤーの名前、およびプレイヤー番号と共に示されるフットボールジャージのようなものが含まれる。画像４１は、ＮＡＳＣＡＲ画像ならびに／またはレーシングチームおよびドライバのトレードドレスを示すこともできる。布に刷ることができる他の表号４１の任意の組み合わせをバナーで使用することができる。一部の実施形態では、バナー２０は、可撓性本体２２に白紙の面を有することができる。印刷以外の技術、例えば、染色、昇華法、製織などを使用して、表号または他の画像を配置することも本開示の範囲内である。
【００３１】
１つまたは複数の連結器機構３０は、バナー２０をゴルフバッグ１０に固定する。より具体的には、連結器機構３０は、可撓性本体２２をゴルフバッグ１０の移動可能な脚部１２に固定するように機能する。一例では、脚部１２は、バッグに対接する格納位置、およびバッグから離れた拡張位置から回動する。連結器機構３０は、脚部１２が位置間を移動するときに、バナー２０を脚部１２上の所定の位置に保持しなければならない。さらに、連結器機構３０は、スタンド装置またはスタンド機構１４の動作を妨害してはならない。連結器機構３０はさらに、脚部１２が拡張位置にある場合に、バナー２０を横方向に実質的に張った状態に保持する。バナー２０が、三脚構成でゴルフバッグ１０を立たせるための２つの脚部１２を含むゴルフバッグ１０に１つまたは複数の連結器機構３０によって連結された場合に、バナー２０は、実質的に平坦な構成で開かれて、可撓性本体２２に印刷された、または取り付けられた任意選択の用語または表号を提示する。固定具３５は、連結器３０または脚部１２の一部とすることができて、拡張位置および格納位置の両方で、バナーを垂直方向に延びた状態に保持する。
【００３２】
１つまたは複数の連結器機構３０は、バッグバナー２０をゴルフバッグ１０、例えば、三脚型のスタンドを含むゴルフバッグの脚部１２に確実に取り付ける任意の装置とすることができる。本明細書で説明する任意の実施形態において、バッグバナー２０は、取付具をゴルフバッグ１０の脚部１２に適切に固定できるもう１つの連結機構３０を含むことができる。コネクタ３０は、金物類、合成材料、天然ゴム、または布地とすることができる。実施形態では、固定具３５は、ゴルフバッグの脚部と接合する、または接触する連結器上に、特に、連結器の面にある。
【００３３】
一部の実施形態では、可撓性本体２２は、可撓性本体の１つまたは複数の縁取りに沿ったマジックテープ材料を含むことができる。マジックテープは、連結器機構３０として機能する。一例では、マジックテープは、バッグバナー２０の可撓性本体２２の縁部部分にある。マジックテープ材料は、製品名ＶＥＬＣＲＯ（商標）でＤｕｔｃｈ  Ａｎｔｉｌｌｅｓに所在のＶｅｌｃｒｏ  Ｉｎｃ．から入手可能である。マジックテープ材料は、ゴルフバッグ１０の脚部１２を可撓性本体２２の一部分内で固定するように、可撓性本体２２の第２の部分に相対する可撓性本体２２の一部分に結合することができる。一例では、マジックテープ材料のフック部分およびループ部分は、可撓性本体２２の同じ部分にあるので、可撓性本体の縁部または縁部の一部は脚部に巻き付けられて、マジックテープ材料の他方と整列および接触する。マジックテープの裏側は、マジックテープをゴルフバッグの脚部上で垂直方向に固定する固定具３５として機能する接着剤を含むことができる。一例では、マジックテープの一方の部分はバナー２０にある。マジックテープの他方の部分は脚部１２に配置される。
【００３４】
一部の実施形態では、可撓性本体２２は、可撓性本体２２の縁取りに沿って１つまたは複数のジッパーを含むことができる。ジッパーは、ゴルフバッグ１０の脚部１２を可撓性本体２２のジッパーの付いた部分内で固定するように、可撓性本体２２の一部分、すなわちバナー自体の一部分に結合することができる。ジッパーの一部は、ゴルフバッグの脚部に固定され、バナーを所定の位置に保持する固定具として機能することができる。
【００３５】
図８は、バッグバナー２０をゴルフバッグスタンドの脚部１２に連結する連結器機構３０として使用することができるスロット付きストラップ１００を示している。図９は、図８のスロット付きストラップ１００の反対側を示し、ストラップを閉じた状態で固定できる固定突起を示している。図１０は、ゴルフバッグスタンドの脚部１２を囲んで固定された図８のスロット付きストラップと、スロット付きストラップのスロットを通った固定用ポストの１つとを示している。図８〜１０は、連結器機構３０をストラップ１００として示している。ストラップ１００は、それ自体固定具として機能することができ、固定具は、ストラップ１００が脚部１２上をスライドするのを防止するように、脚部に摩擦嵌合するほど、または脚部に十分な圧力を作用させるほどきつく引っ張ることができる。ストラップは、バナー２０の可撓性本体２２に縫い付けることができる。さらなる例では、ストラップ１００は、本体２２の貫通開孔を通って受け入れられる。一例では、ストラップは、バナー２０の縁取り縁部を貫通して受け入れられる。一例では、ストラップ１００は、バナー２０自体を貫通して受け入れられる。ストラップ１００は細長くなっており、第１の角度が付いた、または先のとがった端部１０１を含む。第１の端部１０１は平らであってもよい。第２の端部は、第１の端部１０１を受け入れる大きさとされたスロット１０２を含む。図８に示すストラップ１００の面は、ゴルフバッグ脚部の外側面と接触するように構成されている。一例では、ストラップ１００は、バナー２０を脚部１２に固定するために、十分な力で脚部１２を把持するゴム材料を含む。ストラップ１００は、バナー２０をスタンド機構、例えば、脚部１２に固定するのに必要とされる程度の力を発揮する。一例では、ストラップ１００は、少なくとも２ポンドの力を脚部１２に作用させる。ストラップ１００は、バナー２０を脚部１２に固定するために、ゴルフバッグスタンド１４の脚部１２に巻き付けることができる。一例では、ストラップは、約２．５インチ±０．５インチの長さである。ストラップは、約３／４インチ±１／４インチの高さを有することができる。ストラップは、１ｍｍ以上の厚さを有することができる。スロット１０２は、スロットを通るストラップ１００の高さおよび幅を受け入れる大きさとされる。ストラップ１００の他方の面が図９に示されている。固定用ポスト（１つまたは複数）１０４が、第１のストラップ端部に隣接して配置されている。これらのポスト１０４は、ストラップの面から外側に延びている。一例では、ポストはストラップの第１の端部よりも５倍広い。ストラップ１００は、図１０においてゴルフバッグ脚部１２に固定されている。第１の端部１０１は、脚部１６を囲み、スロット１０２を通って延びている。第１の端部は、ポスト１０４がスロット１０２から引き出される長さまで、スロット１０２に通して引っ張られる。ポスト１０４は、ストラップがポスト１２を解放するのを防止するストッパとして機能する。具体的には、ポストは、大きな力が加わらなければ、スロットを通って逆戻りすることができない。
【００３６】
図１１は、バッグバナー２０をゴルフバッグスタンドの脚部１２に連結する連結器機構として使用できる、ロッドを有するスロット付きストラップ１００Ａを示している。図１２は、ゴルフバッグスタンドの脚部１２を囲んで固定された図１１のスロット付きストラップを示し、スロット付きストラップのスロットを通ったスロット付きストラップ１００Ａのロッドを示している。図１１〜１２は、ストラップ１００Ａのさらなる実施形態を示している。ストラップ１００Ａは、本明細書で説明したストラップ１００と似ているが、図８に示すように、とがっていない第１の端部１０１の先端にポスト１１０がある。ポスト１１０は、ストラップの残部よりも高くて幅が広い。一例では、ポスト１１０は、ストラップの残部または残りの部分よりも硬いデュロメータゴムを有する。一例では、ポストは、射出成形されたプラスチックである。ポスト１１０は、ストラップをゴルフバッグ脚部１２に固定するために、スロット１０２に押し通される（図１２を参照のこと）。
【００３７】
ストラップ１００Ａは、それ自体固定具として機能することができ、固定具は、ストラップ１００が脚部１２上をスライドするのを防止するように、脚部に摩擦嵌合するほど、または脚部に十分な圧力を作用させるほどきつく引っ張ることができる。
【００３８】
図１３Ａおよび図１３Ｂは、バッグバナー２０をゴルフバッグスタンドの脚部１２に取り付ける連結器機構３０として使用することができるクランプ１２５を示している。図１４は、ゴルフバッグスタンドの脚部１２を囲んで閉じた状態にあるクランプ１２５を示している。図１３Ａ、図１３Ｂ、および図１４は、バナーをゴルフバッグ脚部に固定するのに使用できるクランプ１２５を示している。クランプ１２５は、ゴルフバッグ脚部を受け入れる円形の開口を画定するバンド１２７と、バンド１２７の自由端にあるラチェット閉止体１２８とを含む。クランプ１２５は、プラスチック、ナイロン、ポリマー、またはそれらの組み合わせから形成することができる。ラチェット閉止体１２８は、図１３Ａに開いた状態で示されている。ラチェット閉止体１２８は、脚部がバンド１２７の内側に入ることを可能にするようにさらに開くことができる。ラチェット閉止体１２８は、２つの分離したアーム１３１、１３２上に歯を含む。アーム１３１、１３２は互いに押し込まれて、ゴルフ脚部を囲むバンド１２７の直径を縮小させながら、歯が互いにロックすることができる。アーム１３１、１３２は、十分な幅および強度があるので、一旦連結されると離れる方向に移動しない。第１のアーム１３１の上部拡張部は、第２のアーム１３２を覆うように第２のアーム１３２の上に延びて、一旦係合するとアーム同士、ひいては歯同士を保持する。
【００３９】
クランプ１２５は、それ自体固定具として機能することができ、固定具は、クランプ１２５が脚部１２上をスライドするのを防止するように、脚部に摩擦嵌合するほど、または脚部に十分な圧力を作用させるほどきつく引っ張ることができる。
【００４０】
図１５は、バッグバナー２０をゴルフバッグスタンドの脚部１２に取り付ける連結器機構として使用できる包囲装置を示している。図１６および図１７は、バッグバナー２０をゴルフバッグスタンドの脚部１２に取り付ける連結器機構として使用することができる結束ケーブル１５０を示している。図１５〜１７は、少なくとも１つの面に歯１５２を含む細長い本体１５１を有する結束具１５０を示している。本体１５１の一端は、ラチェットケース１５６とラチェットケース内のラチェット１５７とを有するラチェット１５５を含む。一例では、歯の反対側にある本体の面１５８は、ゴルフバッグ脚部１２と係合するように構成されている。面１５８は、脚部１２に作用する結束具の把持力を向上させる層を含むことができる。一例では、層１５８は、ゴム裏当てまたはエラストマー裏当てであり、結束具１５０が締め付けられ、それにより、取り付けられる脚部１２を把持するときに撓む。一例では、層１５８は熱可塑性ゴムとすることができる。他の接着剤材料は層１５８の一部とすることができる。結束具１５０は、それ自体固定具として機能することができ、結束具は、結束具１２５、ひいてはバナーが脚部１２上をスライドするのを防止するように、脚部に摩擦嵌合するほど、または脚部に十分な圧力を作用させるほどきつく引っ張ることができる。
【００４１】
一部の実施形態では、連結器機構３０、例えば、ストラップ１００、ストラップ１００Ａ、クランプ１２５、または結束具１５０は、可撓性本体２２のボタン穴、グロメット、またはスロットと係合して、バナーをゴルフバッグ脚部（１つまたは複数）１２に固定する。連結器機構３０の他の実施形態には、コード、ストラップ、レース、またはバナー２０をゴルフバッグ１０の脚部１２に固定するのに使用できる他の結束手段があり得る。これらの連結器機構３０は、天然材料、合成材料、または複合材料とすることができる。連結器機構３０は脚部１２に巻き付き、ボタン穴、グロメット、またはスロットを通って延びる。スロットは、端部に固定された細長いブリッジで形成することができ、中間部分は、バナーに面した貫通穴を自由に形成することができる。コード、ストラップ、レース、または他の結束手段は、ゴルフバッグ１０の移動可能な脚部１２を囲み、ボタン穴、グロメット、またはスロットを通って縛るのに適した任意の長さの材料とすることができる。
【００４２】
一部の実施形態では、連結器機構３０は、可撓性本体２２の外側縁部から形成された管状体とすることができる。可撓性本体が縫合可能な材料で形成される場合、管状体は、材料の縁部に縁かがりし、折った縁部から離れたところで縁部を縫合することで形成される。一部の実施形態では、連結器機構３０は、ゴルフバッグ１０の移動可能な脚部１２を受け入れるのに適した可撓性本体２２に取り付けられた管状体とすることができる。固定手段は、バナーを脚部に沿った所定の位置に保持する、管状体の長さの一部に沿った摩擦嵌めとすることができる。固定具にはまた、閉じた底が、管状体がゴルフバッグの脚部を上がっていくのを防止するように機能する、閉じた管状体を含み得る。一部の実施形態では、連結器機構３０は、バッグバナー２０をゴルフバッグスタンド１４の脚部１２に固定するのに使用できるパラシュートクリップおよびストラップを含む。クリップは取り外し可能であるが、バナーを脚部に保持する十分な閉止力を有する。一例では、そのようなクリップは、強力ヘアクリップタイプの装置と同様である。クリップおよび／またはストラップは、それぞれのクリップまたはストラップをゴルフバッグのスタンド機構の脚部上の所定の位置に折り重ねる、本明細書で説明した固定具を含むことができる。別の例では、クリップおよび／またはストラップは、スタンド機構の脚部にある固定具と相互作用する。
【００４３】
バッグバナー２０は、様々な連結器機構３０によってゴルフバッグスタンド１４の脚部１２に取り付けることができる。バッグバナー２０は、概ねバッグバナー２０の１つの縁部の全長に沿って脚部１２に取り付けられてよいし、またはバッグバナー２０は、移動可能な脚部の長さに沿った２つ以上の別の位置で移動可能な脚部１２に取り付けられてもよい。一部の実施形態では、バッグバナー２０は、バッグバナーの両側部のそれぞれに沿って２つずつ、総計４つの位置で取り付けることができる。他の実施形態では、バッグバナー２０は、バッグバナーの両側部のそれぞれに沿って３つずつ、総計６つの位置で取り付けることができる。他の実施形態では、８個、１０個、または１２個の位置を使用してバッグバナー２０を移動可能な脚部１２に取り付けることができる。
【００４４】
連結器機構３０として様々な機構を使用することができる。連結器機構３０としてマグネットを使用することができる。連結器機構３０としてランヤードを使用することができる。連結器機構３０として格納式ランヤードを使用することができる。連結器機構３０としてナイロンなどの合成ロープを使用することができる。連結器機構３０としてひもまたは撚り糸を使用することができる。連結器機構３０としてカラビニア（ｃａｒａｂｉｎｅｅｒ）を使用することができる。連結器機構３０としてレザーストラップを使用することができる。連結器機構としてプラスチックまたはゴム製のコイルを使用することができる。連結器機構として分割リングを使用することができる。連結機構として金属製のロープまたはひもを使用することができる。連結器機構３０としてグロメットおよび所定の長さの材料を使用することができる。連結器機構としてマジックテープを使用することができる。連結器機構３０としてステープルを使用することができる。連結器機構３０としてテープを使用することができる。連結機構３０として、膠、ゴムのり、または他の接着剤などの結合剤を使用することができる。連結器機構としてジッパーを使用することができる。連結器機構としてパラシュートクリップを使用することができる。連結器機構として結束ケーブルを使用することができる。連結器機構３０としてゴムバンドまたは弾性バンドを使用することができる。連結器機構として合成材料または天然材料でできたストラップを使用することができる。連結器機構として弾性コードを使用することができる。連結器機構３０としてボタン穴および所定の長さの材料を使用することができる。連結器機構３０としてループおよびボタン穴機構（ｌｏｏｐ  ａｎｄ  ｂｕｔｔｏｎ  ｈｏｌｅ  ｍｅｃｈａｎｉｓｍ）を使用することができる。連結器機構としてループおよび金物（ｌｏｏｐ  ａｎｄ  ｈａｒｄｗａｒｅ）を使用することができる。連結器機構３０としてプラスチックまたは金属製のクランプなどのクランプを使用することができる。連結器機構としてナットおよびボルトを使用することができる。また、連結器機構３０として可撓性の固定用フックなどのフックを使用することができる。連結器機構は、スタンド機構１４、例えば、脚部１２に取り付けることができる。スタンド機構１４またはゴルフバッグ１０のメーカーは、販売前に、バナー２０をゴルフバッグ１０に取り付けることができる。バナー２０はまた、アフターマーケットでのゴルフバッグ１０への追加物とすることもできる。
【００４５】
連結器機構３０は、スロット付きストラップ４２とすることができる。図８は、適切なスロット付きストラップ４２を示している。ストラップはゴムとすることができる。一実施形態では、スロット付きストラップ４２は、幅が約０．７５〜約２．５インチ、厚さが約１〜４ｍｍである。ストラップ４２は、固定用ポスト４６（図９）を含むことができ、固定用ポスト４６がスロット付きストラップ４２のスロット４４に挿入されると、固定用ポストはストラップを所定の位置にロックする。スロット付きストラップ４２の材料、例えば、ゴムは、ゴルフバッグスタンド１４の移動可能な脚部１２の上または下に容易にスライドしない面を有することができる。図１０は、ゴルフバッグの脚部１２を囲んで固定されたスロット付きストラップ４２を示している。ストラップは、可撓性基材２２を移動可能な脚部１２に固定するために、可撓性基材２２のスロットまたは開口を通ってループを形成することができる。
【００４６】
別の実施形態では、連結器機構３０は、ロッドが取り付けられたスロット付きストラップ５０とすることができる。スロット付きストラップ４２と同様の態様で、ロッドが取り付けられたスロット付きストラップ５０は、可撓性基材２２を移動可能な脚部１２に固定するために、可撓性基材２２のスロットまたは開口を通ってループを形成することができる。
【００４７】
一部の実施形態では、連結器機構３０は、ハーネスクランプタイとすることができる。適切なハーネスクランプタイが、参照により、その全体を本明細書に援用される米国特許出願公開第２００７／００２３５８６号明細書（Ｇｅｉｇｅｒ）に記載されている。一部の実施形態では、連結器機構３０は、シンチストラップとすることができる。適切なシンチストラップが、参照により、その全体を本明細書に援用される米国特許第７，１３１，１６８号明細書（Ｐａｎｇａｌｌｏ）に記載されている。一部の実施形態では、連結器機構３０は、ストリップおよび結束装置とすることができる。適切なストリップおよび結束装置が、参照により、その全体を本明細書に援用される米国特許第７，２７８，１８８号明細書（Ｋｕｒｍｉｓ）に記載されている。
【００４８】
連結器３０が、ゴルフバッグの脚部を囲んで延びるストラップまたは他の連結器を含む実施形態では、固定具は、連結器３０を直立した状態でゴルフバッグ脚部に固定するために連結器３０が通り抜ける脚部の開孔とすることができる。
【００４９】
バッグバナー２０は、ゴルフバッグ１０の移動可能な脚部１２に取り付けるための連結機構３０を含む平織り構造、例えば、簡素な可撓性本体２２とすることができる。あるいは、バッグバナー２０は、任意選択の様々な実用装置（例えば、ポケット２４）を含むことができる。例えば、バッグバナー２０（またはバッグバナー２０の可撓性本体２２）は、１つのポケット２４、または数個のポケット２４を含むことができる。ポケット２４は、有用な、または所望の物体を受け入れるために、任意の適切な大きさとすることができる。ポケット２４は、使用者が、財布、身分証明書、クラブ用ブラシ、ディボット修復ツール、バッグ用の雨よけ、ヘッド用カバーなどの様々な物品を簡便に持ち歩くことを可能にする形状とすることができる。ポケット２４は、軟らかい織布材料、ビロード、または毛皮状の材料などの裏地を含むことができる。ポケット２４の開口を閉じる閉止体が設けられる。閉止体の例には、ジッパー、マジックテープ、ボタン、スナップ、および他の留め具が含まれ得る。
【００５０】
バッグバナーのポケット２４は、任意の閉止機構を含まず、上部で開放することができる。ポケット２４は、ポケットの上部、またはポケットの側部にジッパー機構を含むこともできる。ポケット２４は、マグネットを確実に保持するように設計することができる。マグネットは、ポケット２４から離れてバナーに縫い込むことができる。一例では、マグネットは、ポケットより上でバナーの上縁部の下に配置される。ランヤードは、バナーの外でマグネットを保持することができる。マグネットを使用して、ディボットツール、マルチツール、またはマグネットの強さに対して適切な大きさおよび重量の任意の鉄合金製物体などのツールをバナー２０に取り付けることができる。ポケット２４は、スコアカードを保持するように設計することができる。別のポケットは、鉛筆または他の筆記用具を受け入れるように設計することができる。バッグバナー２０またはポケット２４は、付属の鉛筆削りを含むこともできる。
【００５１】
一部の実施形態では、１つまたは複数のマグネットをバッグバナー２０に組み込むことができ、接着剤によって、または可撓性本体２２が２つを超える材料層を含む場合に、可撓性本体２２を構成する２枚の材料間に縫い込むことによって、１つまたは複数のマグネットをバッグバナー２０に取り付けることができる。マグネットは上記のように使用することができる。
【００５２】
一部の実施形態では、バッグバナー２０は、細長い付属品連結器を含むことができる。細長い連結器は可撓性でよいし、または細長い連結器は可撓性でなくてもよい。可撓性の細長い連結器は、例えば、ループ、リング、パラシュートクリップ、格納式クリップ、ランヤードなどで終端するコイル状のコードとすることができる。
【００５３】
一部の実施形態では、バッグバナー２０は、１つまたは複数のマジックテープストリップを含むことができる。マジックテープを使用して、さらなるポケットまたはタオルなどの付属品を取り付けることができる。一部の実施形態では、バッグバナー２０は、付属品の取り付けを可能にする１つまたは複数のグロメットを含むことができる。一部の実施形態では、バッグバナー２０は、付属品の取り付けを可能にする１つまたは複数のカラビニアを含むことができる。
【００５４】
一部の実施形態では、バナー２０は、使用者がツールまたは他の物体をバナー２０に取り付けるのを可能にする通し穴またはグロメットを含むことができる。付属の物体または物品には、タオル、練習用ネット、クラブ清浄ツール、レーザ測距ツール、ソーラ駆動式ファン、クリートクリーナー、電子装置、ラジオ、スピーカー、ソーラパネル、携帯用ドライヤなどを含み得る。
【００５５】
一実施形態では、バナー２０は、開放されたポケットを有する無地（無表号）とすることができる。他の実施形態では、バナー２０はジッパーの付いたポケット２４を含むことができる。一部の実施形態では、バナー２０は、マジックテープ閉止具の付いたポケット２４を含むことができる。一部の実施形態では、バナー２０は、ボタン閉止具の付いたポケット２４を含むことができる。一部の実施形態では、バナー２０は、スナップボタン閉止具の付いたポケット２４を含むことができる。一部の実施形態では、バナー２０は、ジップロック閉止具の付いたポケット２４を含むことができる。一部の実施形態では、バナー２０は、タイトグル（ｔｉｅ  ｔｏｇｇｌｅ）閉止具の付いたポケット２４を含むことができる。ポケットは、中身を冷たい、または温かい状態に維持するために断熱する、すなわち、断熱材料で作製することができる。
【００５６】
バッグバナー２０のポケット２４は、裏地を付けてよいし、または裏地を付けなくてもよい。裏地は、中身（例えば、携帯電話または他のデジタル装置）の摩耗を防止する布などの柔らかい材料とすることができる。裏地は、毛皮、模造毛皮、ベロア、セーム革、シャミ革、ラムスキン、または他の柔らかい布などの、当技術分野において使用される任意の裏地材料とすることができる。
【００５７】
バッグバナー２０はまた、取り付け可能な、および／または統合した物品を含むことができる。物品が取り付け可能であるとされる場合、物品は、必要に応じて、例えば、接着剤を使用して、またはバッグバナー２０の層に縫い合わされる補助材料を使用して、バッグバナー２０に組み込むことができる。１つの取り付け可能な物品はディボットフィクサである。別の取り付け可能な物品はクリートクリーナーである。別の取り付け可能な物品はクラブクリーナーである。別の取り付け可能な物品はタイマーまたは時計である。別の取り付け可能な物品は眼鏡またはサングラス用のスロットまたはポーチである。別の取り付け可能な物品はゴルフティー用のポーチである。バッグバナーはまた、個々のゴルフティーを受け入れるように構成されたスロットまたはダブルボタン穴を含むことができる。別の取り付け可能な物品はタオルである。別の取り付け可能な物品は、クラブ用ブラシなどのブラシである。別の取り付け可能な物品はボールホルダーである。別の取り付け可能な物品はボールクリーナーである。別の取り付け可能な物品はレーザ線である。別の取り付け可能な物品は巻き尺または他の計測装置である。別の取り付け可能な物品は距離読み取り装置である。別の取り付け可能な物品は、位置検出または位置表示装置である。そのような装置の例として、全地球測位装置、すなわち、「ＧＰＳ」装置がある。別の取り付け可能な物品は携帯電話ホルダーである。別の取り付け可能な物品はラジオである。別の取り付け可能な物品はスピーカーである。別の取り付け可能な物品は、ＭＰ３プレイヤー、または音楽を再生する他のデジタル装置などの音楽システムである。別の取り付け可能な物品はビデオシステムである。別の取り付け可能な物品はスコアカードである。別の取り付け可能な物品は鉛筆である。別の取り付け可能な物品はペンまたはマーカである。別の取り付け可能な物品は鉛筆削りである。別の取り付け可能な物品は飲料またはドリンクホルダーである。別の取り付け可能な物品はスコアカウンタである。別の取り付け可能な物品はクリート清浄ツールである。別の取り付け可能な物品はヘッドカバーである。別の取り付け可能な物品はゴルフ用手袋である。別の取り付け可能な物品は帽子である。別の取り付け可能な物品はサンバイザである。別の取り付け可能な物品は、ファン、例えば、ソーラファンである。別の取り付け可能な物品はポスターである。別の取り付け可能な物品は認可された写真である。別の取り付け可能な物品は手用消毒剤である。別の取り付け可能な物品はマルチツールである。別の取り付け可能な物品は傘である。別の取り付け可能な物品は、チッピング練習用ターゲットまたは穴である。別の取り付け可能な物品は、ボールマーカまたはボール識別用具である。別の取り付け可能な物品はボールＩＤシステムである。別の取り付け可能な物品はクラブ用雨よけである。別の取り付け可能な物品はバッグプロテクタハンドルである。別の取り付け可能な物品はグリップクリーナーである。別の取り付け可能な物品は打撃用ネットである。別の取り付け可能な物品は、手袋乾燥機またはシステムである。別の取り付け可能な物品は、ゴルフ指導ツールまたは装置である。別の取り付け可能な物品はカメラである。別の取り付け可能な物品はデジタル記録装置である。別の取り付け可能な物品は、日焼け止めまたはサンブロックである。別の取り付け可能な物品はルールブックである。別の取り付け可能な物品は、パンフレットまたはハンドブックである。別の取り付け可能な物品は印刷物である。バッグバナーはまた、本明細書で説明するさらなる特徴を提供する折りたたみ式パネル、および／または表示装置を含むことができる。
【００５８】
取り付け可能な、および／または統合される物品は、様々な機構によってバッグバナー２０に取り付けることができる。取付具は、物品をバッグバナー２０に適切に固定する単一の取付具または複数の取り付け装置とすることができる。例えば、マグネットを使用して物品をバッグバナー２０に取り付けることができる。さらに、ランヤードを使用して物品をバッグバナー２０に取り付けることができる。格納式ランヤードを使用して物品をバッグバナーに取り付けることもできる。ナイロンなどの合成ロープを使用して物品をバッグバナー２０に取り付けることができる。ひもまたは撚り糸を使用して物品をバッグバナー２０に取り付けることができる。カラビニアを使用して物品をバッグバナーに取り付けることができる。１枚の皮革を使用して物品をバッグバナーに取り付けることができる。プラスチックまたはゴムコイルを使用して物品をバッグバナー２０に取り付けることができる。拡張可能なコイルを使用して物品をバッグバナー２０に取り付けることができる。分割リングを使用して物品をバッグバナー２０に取り付けることができる。キーホルダーを使用して物品をバッグバナー２０に取り付けることができる。金属製のロープまたはひもを使用して物品をバッグバナー２０に取り付けることができる。グロメットを使用して物品をバッグバナー２０に取り付けることができる。マジックテープを使用して物品をバッグバナー２０に取り付けることができる。ステープルを使用して物品をバッグバナー２０に取り付けることができる。テープを使用して物品をバッグバナー２０に取り付けることができる。膠、ゴムのり、または他の接着剤などの結合剤を使用して物品をバッグバナー２０に取り付けることができる。ジッパーを使用して物品をバッグバナー２０に取り付けることができる。パラシュートクリップを使用して物品をバッグバナー２０に取り付けることができる。結束ケーブルを使用して物品をバッグバナー２０に取り付けることができる。押し出し成形できるポリマーを使用して物品をバッグバナー２０に取り付けることができる。型成形できるポリマーを使用して物品をバッグバナー２０に取り付けることができる。真空成形できるポリマーを使用して物品をバッグバナー２０に取り付けることができる。鍛造することができる材料を使用して物品をバッグバナー２０に取り付けることができる。ダイカストで鋳造することができる材料を使用して物品をバッグバナー２０に取り付けることができる。ゴムバンドまたは弾性バンドを使用して物品をバッグバナーに取り付けることができる。エチレン酢酸ビニル（ＥＶＡ）発泡体を使用して物品をバッグバナー２０に取り付けることができる。パイプ断熱発泡体を使用して物品をバッグバナー２０に取り付けることができる。シリコーンオーバモールドを使用して物品をバッグバナー２０に取り付けることができる。合成材料または天然材料でできたストラップを使用して物品をバッグバナー２０に取り付けることができる。バンジーコードを使用して物品をバッグバナー２０に取り付けることができる。スクートガード（ｓｃｏｏｔ  ｇｕａｒｄ）を使用して物品をバッグバナー２０に取り付けることができる。ボタン穴を使用して物品をバッグバ���ー２０に取り付けることができる。ループおよびボタン穴機構を使用して物品をバッグバナー２０に取り付けることができる。ループおよび金物を使用して物品をバッグバナー２０に取り付けることができる。プラスチックまたは金属製のクランプなどのクランプを使用して物品をバッグバナー２０に取り付けることができる。ねじを使用して物品をバッグバナー２０に取り付けることができる。釘を使用して物品をバッグバナー２０に取り付けることができる。フックを使用して物品をバッグバナー２０に取り付けることができる。
【００５９】
物品は、バッグバナー２０の可撓性本体２２に縫い付けることができる。物品はまた、バナー２０に取り付けられた、またはバナー２０の延長した縁取りに取り付くように形成されたマジックテープまたはジッパーを使用して、バナー２０に取り付けることもできる。
【００６０】
図１８Ａは、バナー２０が取り付けられたゴルフバッグ１０の例を示している。図１８Ｂは、バナー２０の正面図を示している。バナー２０は、バナーの上部から外側に延びるカラー８０１を含む。一例では、カラーは、バナー２０の上部に隣接する。カラー８０１は、ゴルフバッグの上部を囲むように伸び、バナー２０の上部部分をバッグに固定している。一例では、カラーは、２つの片持ちアーム８０３、８０４を含み、片持ちアーム８０３、８０４は、ゴルフバッグ１０を囲んで配置され、ゴルフバッグ１０に取り付けられた場合に、少なくとも部分的に互いに重なり合うことができる。アーム８０３、８０４は、ゴルフバッグの上部部分に取り付けることができるマジックテープの一部をそれぞれ含むことができる。マジックテープの第１の部分は、アーム８０３、８０４の一方に取り付けられ、マジックテープの他の部分は、アーム８０３、８０４の他方に取り付けられる。他のファスナをアーム８０３、８０４で使用して、ゴルフバッグに連結することができる。カラー８０１は密着して嵌合するので、バナー２０は、垂直方向および横方向に所定の位置に固定される。さらなる連結器８１１、８１２がバナーの底にあり、それぞれゴルフバッグの右脚部１２および左脚部１２に取り付いている。さらなる連結器８１３、８１４をバナー２０の両側部に設けることができる。連結器８１３、８１４は、カラー８０１と下側連結器８１１、８１２との中間にある。中間連結器８１３、８１４は、それぞれゴルフバッグの右脚部１２および左脚部１２に取り付いている。連結器８１３、８１４は、バナーのポケットと整列することができる。一例として、連結器８１３、８１４は、（図２に示すポケット２４などの）ポケットの開口と整列する。一例では、連結器８１３、８１４は、バナー上のマグネットまたは付属品取付具と同じ高さにある。少なくとも、下側連結器８１１、８１２、および必要に応じて中間連結器８１３、８１４は、バナーが使用中にバッグまたはスタンド機構１４の上または下にスライドしないように、バナー２０をゴルフバッグの所定の位置、例えば、スタンド機構に保持および固定する。カラー８０１は、バナーが垂直方向下方にスライドするのを防止する固定具構造体の一部として機能することができる。しかしながら、バナー２０がゴルフバッグ脚部上を上方にスライドするのを防止するために、さらなる固定具構造体、例えば、固定具３５が設けられている。
【００６１】
図１８Ａはさらに、バナー２０の各側部から延びるタブ８５０を示している。タブ８５０は、バナー２０の主要部から外側に延びている。タブ８５０は細長くなっており、バナー２０の側部に対して概ね横方向または垂直方向に延びることができる。連結器はタブ８５０に取り付けられて、バナーをゴルフバナーの脚部に固定することができる。示すように、タブ８５０はバナー２０の各隅部にきわめて近接して配置されている。当然ながら、バナー２０をゴルフバッグの脚部２０に取り付けるために、さらなるタブを設けることができる。タブはまた、図１〜７、図１９Ａ〜１９Ｃ、図２４、図２９、図３０Ａ〜３０Ｆ、図３１Ａ〜３１Ｆ、図３２〜４０、および図４１Ｃのいずれかで説明されるバナー上にも配置することができる。
【００６２】
図１９Ａは、バナー２０が取り付けられたゴルフバッグ１０の例の側面図を示している。図１９Ｂは、バナー２０の正面図を示している。図１９Ｃは、ゴルフバッグから外したバナー２０を示している。バナー２０は、図１８Ａおよび図１８Ｂに示すバナーと類似しているが、上部連結器が異なっている。上部連結器はクランプアセンブリ９０１を含む。クランプアセンブリ９０１は、示すように、複数のクリップである少なくとも１つのクランプ９０２を含むことができる。クリップ９０２は、バナー２０の上部に隣接して固定される部分と、バナーから片持ち式に突出し、折り重なった部分９１０とを含む。片持ち部分９１０は、ゴルフバッグの上縁部のまわりのゴルフバッグの内部空間に延びて、バナーの上部をゴルフバッグに固定する。一例では、クリップ９０２は、バッグ内のゴルフクラブを損傷しない、または傷つけないように保護コーティングを含む。クリップ９０２は、スプリング材料でできており、クリップ９０２が開いて、バッグ１０の上部開口の上縁部をクリップ９０２が通り越すのを可能し、また、定位置にあるときに、クリップ９０２が、片持ち部分９１０とベース部との間のバッグ１０の上縁部にスプリング力を加えるように寸法を決められる。複数のクリップ９０２を使用することで、バナーの各側部がバッグの長さに沿って垂直方向に所定の位置に保持され、スタンド機構が、拡張位置か、または格納位置のいずれかにあるときに、片側が垂れるが防止される。このように、クリップは固定具の一部とすることができ、バナーの側部が脚部上を下方にスライドするのを防止する。
【００６３】
図２０は、バナーをゴルフバッグ１０の脚部１２に固定できるクランプ２３１を示している。図２２は、クランプ２３１の上面図を示している。クランプ２３１は、脚部が押し込まれる開口を含むＣ字形状のクランプとすることができる。クランプのアームは、脚部がクランプの空間に受け入れられるまで、離れる方向に強制的に広げられる。Ｃ字形状のクランプ２３１は、脚部１２のまわりに密着する。Ｃ字形状のクランプ２３１は、脚部１２を囲んで配置されるときに撓み、脚部１２を囲む定位置をとると、撓みが緩和される位置に近い位置にスプリングバックするスプリング材料でできている。図２２は、クランプ２３１の平面図を示している。固定具は、クランプを直立した状態でゴルフバッグ脚部に固定するように、クランプの内側に配置することができる。
【００６４】
図２１は、脚部１２を有するスタンド機構を示している。脚部１２は、脚部の上側部分にナックル２４０１を含むことができ、ナックル２４０１は、脚部が、ゴルフバッグ１０に隣接する格納位置と、ゴルフバッグ１０から離れたスタンド位置との間で回動する、または折れるのを可能にする。一例では、バナー２０は、バッグ１０、例えば、スタンド機構または脚部１２に取り付けられる場合にナックル２４０１より上でつながる。バナーがナックルより上（例えば、線Ａ）に延びることで、バナー用の最大領域が得られる。バナーは、ナックル２４０１より下の位置（例えば、線Ｂ）で連結することもできる。固定具は、バナーがナックルの回動を妨害しないように、バナーをナックルの位置から離して、または垂直方向の定位置に保持する。
【００６５】
バナー２０は、ゴルフバッグ１０から外側に配置される。例えば、バナーは、バナーとゴルフバッグとの間の空間または容積を画定する。一例では、バナーは、基本的に、バッグスタンドの脚部間に画定される領域にある。バナーが所定の位置にある場合に、バナーは、バッグの前面全体が、脚部１２間から見ることができないようにバッグの前の領域に広がる。バナー２０を支持するために、他のポストがバッグの外側に延びることができる。一例では、他のポストは、スタンド機構のリンク機構または他の構成要素とすることができる。さらなる例では、ポストは、少なくとも一部分がゴルフバッグから離れる方向に延びるバナー支持ポストまたは脚部である。
【００６６】
本明細書で説明するバナー２０は、目で見えるロゴ、またはゴルファーを特定する、もしくはゴルファーのバッグを特徴付けることができる他の表号を提示するように機能し、ゴルフコースに面することができる。バナー２０は、様々な業者用の広告空間として、またはチーム名を表示するように機能する。バナー２０は、ゴルフバッグから外側に延びる。一例では、バナーは、スポーツユニフォーム、チームカラー、チームロゴ、番号、名前などに見立てることができる。バナー２０は、例えば、高校のゴルフチーム、大学のゴルフチーム、Ｒｙｄｅｒ  Ｃｕｐのチーム、Ｓｏｌｈｅｉｍ  Ｃｕｐのチームなどのチームに基づいてゴルファーを特定するスポーツユニフォームとして使用することができる。個人も特定することができる。一例では、ゴルフコースの著名人またはトーナメントゴルファーは、彼らの名前およびスポンサーのロゴをバナーに載せることができる。
【００６７】
さらなる例では、バナー２０は、スタンド脚部１２間に広がり、バナーの一部はバッグに向かって後方に広がる。バナー２０は、少なくとも３つのパネルを有するティピー状の構造を形成することができる。１つのパネルは、バッグからスタンド脚部の１つまでの面に広がる。第２のパネルは脚部間に広がる。第３のパネルは脚部からバッグに向かって後方に広がる。第１のパネルおよび第２のパネルは、基本的に、バッグとそれぞれのスタンド脚部との間のそれぞれの領域全体に広がることができる。第２のパネルは、基本的に、脚部間の領域全体に広がることができる。固定具は、バッグに取り付けられた場合に、脚部およびゴルフバッグ上でバナーをその直立した状態に保持するように働く。固定具は、バンド、弾性材、ストラップ、スナップ、または拡張位置および格納位置の両方でバナー２０をその直立した状態に保持する他の留め具とすることができる。
【００６８】
ゴルフバッグ表示装置は、生地でできたバナーと、少なくとも、バナーの第１の縁部および第２の縁部に取り付くように配置された連結機構の少なくとも一部分とを含む。バナーは、ゴルフバッグとゴルフバッグの第１の脚部と第２の脚部との間の空間にある１つの平面の少なくとも一部分に広がる大きさとされる。別の実施形態では、バナーは、実質的に、ゴルフバッグとゴルフバッグの第１の脚部と第２の脚部との間の空間にある少なくとも１つの平面に広がる大きさとされる。一実施形態では、バナーは、ゴルフバッグの第１の脚部と第２の脚部との間に収まる。別の実施形態では、バナーは、ゴルフバッグの第１の脚部または第２の脚部の一方とゴルフバッグとの間に収まる。例えば、バナーは、第１および第２の脚部の一方と、ゴルフバッグの表面に近い、または表面上の点とを含む平面に広がる。連結機構の少なくとも一部分は、バナーの第１の縁部または第２の縁部の一方の近くに配置された少なくとも１つの開口を含む。連結機構の少なくとも一部分はまた、ゴルフバッグの第１の脚部または第２の脚部の一方に取り付くように構成された連結器を含むことができる。連結機構の少なくとも一部分は、バナーに取り付けられたストラップまたはカラーとすることができる。ストラップは、ゴルフバッグの周縁を囲んで密着する大きさとされる。
【００６９】
別の実施形態では、ゴルフバッグ表示装置は、バナーを直立した状態に保持する固定具を含むことができる。一例では、固定具は、ゴルフバッグの周縁を囲んで密着する大きさとされたストラップを含むことができる。ストラップには、ストラップの両端同士を取り付ける、または付属品をストラップに取り付けるためのポケットおよびマジックテープを設けることができる。ポケットは、ロッド、だぼ、または同様のものの端部などの連結機構の一部分に合った大きさとすることができる。ゴルフバッグ表示装置用の固定具は、バナーの周縁に近い生地の縁縫い部を含むことができる。縁縫い部は、だぼを担持または収容できる細長いスリーブを形成する。さらなる例では、縁縫い部はコードを含むことができる。コードは弾性とすることができ、ポケット内に収まる端部を有することができる。一方のストラップは、上部に近いバッグの周縁のまわりに配置することができ、もう１つのストラップは、底に近いバッグの周縁のまわりに配置することができる。ゴルフバッグの上部および底は通常、バッグの長手方向の残りの部分よりも堅固である、または補強される。だぼまたは弾性コードは、表示装置の縁縫い部に配置することができ、だぼまたは弾性コードの端部は、ストラップまたはストラップに設けられたポケットに取り付けることができる。ゴルフバッグ表示装置はまた、バナーに取り付けられた少なくとも１つの付属品を含むことができる。一部の実施形態では、複数の付属品をバナーに取り付けることができる。さらに別の実施形態では、バナーは、少なくとも１つのポケットを含む。ポケットは大きくてよいし、または小さくてもよい。例えば、より大きいポケットは、チップショットで打った、またはピッチショットで打ったゴルフボールを受けるターゲットとして設けることができる。他のポケットは、筆記用具、スコアカード、または他の所望する付属品を保持するために設けることができる。ポケットはまた、クラブカバーを保持することができる。一実施形態では、大きいポケットはまた、クラブカバーとして機能することができる。バナー材料は、防水性材料または耐水性材料を含む任意のタイプの材料とすることができる。一部の実施形態では、一部のバナーは、メッシュで作製することができる。一実施形態では、メッシュ材料は、起立位置にあるときに、バッグを倒す恐れのある風負荷を抑えるが、それでも表示領域を確保するように、風がバナーを通り抜けるのを可能にする大きさの開口を有する。
【００７０】
本明細書で説明する固定具構造体は、バナー２０を所定の位置に保持し、バナーが、スタンド機構、例えば、ナックル２４０１の動作を妨げるのを防止する。
【００７１】
図２３はブリッジ２４０を示しており、クランプまたは連結器はブリッジ２４０を通って延び、次いで、脚部に連結することができる。ブリッジ２４０は細長くなっており、その端部でバナーに固定されて、連結器またはクランプが貫通する開口を形成している。複数のブリッジを使用して、バナー用の複数のクランプ箇所または取付点を提供することができる。ブリッジ（１つまたは複数）は通常、連結器が使用される各位置でバナー２０に取り付けられる。もちろん、ブリッジ２４０の中には、特定の用途で使用される必要がないものもある。
【００７２】
図２４は、さらに別の例示的な実施形態による、ゴルフバッグのスタンド機構１４の脚部１２に取り付けられたバナー２４２０の斜視図を示している。図２６は、ゴルフバッグ１０の上部に取り付けられたバナー２４２０の斜視図を示している。バナー２４２０には、付属品としてゴルフタオル２４９０が付いている。図２５に示すように、バナー２４２０は、防水性または耐水性の布でできている。バナー２４２０は、バッグ１０に最も近いバナー２４２０の面２４２１に取り付けられたマジックテープの第１の部分を含む。ゴルフタオル２４９０は、マジックテープの第２の部分を含む。その結果、ゴルフタオル２４９０は、悪天候からタオルを保護すること、または単にタオル２４９０を隠すことを含む任意の目的で面２４２１に取り外し可能に取り付けることができる。一部の実施形態において、バナー２４２０の他方の面２４２２も同様に、タオル２４９０をバナー２４２０の外側面２４２２に取り付けることができるように、マジックテープの第１の部分であるストリップを設けられる。カラー２４３０は、バナー２４２０の上縁部２４２４に取り付けられている。カラー２４３０は、図２４に示すように、第１の端部２４３１および第２の端部部分２４３２を含む。カラー２４３０の第１の端部２４３１は、マジックテープの第１の部分２４４１を含み、カラー２４３０の第２の端部２４３２は、マジックテープの第２の部分２４４２を含む。その結果、カラー２４３０は、バッグの上部に対応する様々な周囲長さを有する任意のバッグに取り付けることができる。図２５に示すように、ゴルフタオル２４９０を取り外し可能に取り付けることができるように大きさを決められたマジックテープの別の第１の部分が、カラー２４３０の外側面に取り付けられている。一部の実施形態では、カラー２４３０には、ゴルファーがゴルフタオル２４９０を取り付ける位置を選択できるように、別の外側位置に配置された、マジックテープのさらに別の部分が設けられる。例えば、ゴルファーは、ゴルフバッグ１０の上部に近いカラー２４３０の右側位置と左側位置との間で、またはバナー２４２０の面２４２１もしくは面２４２２上の位置を選択することができる。カラー２４３０は、スタンド機構にある場合に、バナーを細長い直立した状態に保持する固定具構造体の一部とすることができる。
【００７３】
バナー２４２０はまた、第１の縁部２４２４に沿って、およびバナーの第２の縁部２４２６に沿ってロッドまたはだぼ２４５０を含むことができる。ロッド２４５０は図２５に示されている。バナーの第１の縁部２４２４は、ロッドまたはだぼ２４５０を受け入れるような大きさの細長いポケット２４６０を含む。細長いポケット２４６０は、少なくとも１つの連結器開口２４６２を含む。図２５に示すように、細長いポケットに２つの連結器開口２４６２、２４６１がある。ロッドが、バナー２４２０の第１の縁部２４２４の近くの細長いポケット２４６０に配置されると、ロッド２４５０の一部分は連結開口２４６１、２４６２で露出する。なお、バナー２４２０の第２の縁部２４２６も、連結開口を備えた別の細長いポケットを含む。第２のロッド（図示せず）は、第２の縁部２４２６で第２の細長いポケットに配置される。バナー２４２０は、次の段落で詳述される連結器２７００を使用して、ゴルフバッグ１０のスタンド装置１４の脚部１２に連結されている。
【００７４】
図２７は、例示的な実施形態によるコネクタ２７００の平面図である。連結器２７００は、ロッド連結部分２７５０および脚部連結部分２７１２を含む。示した実施形態では、ロッド連結部分２７５０は、脚部連結部分２７１２よりも小さい直径を有する。ロッド連結部分２７５０の内径は、（図２５に示す）ロッド２４５０の外径とほぼ等しくなっている。脚部連結部分２７１２の内径は、（図２５に示す）脚部１２の外径とほぼ等しくなっている。連結器２７００はまた、連結器２７００の周縁に開口２７１０を含む。開口２７１０は、スリットまたはスロットと称することができる。連結器は、開口２７１０の１つの縁部に沿った第１の外側折り返し縁部２７１１と、開口２７１０の１つの縁部に沿った第２の外側折り返し縁部２７１３とを含む。連結器２７００は、バナー２４００をバッグスタンド機構１４に連結する場合に、ロッド２４５０および脚部１２の両方を保持するような大きさとされる。連結器２７００は、連結器２７００を使用するときに、弾性範囲内で変形可能な任意の材料で作製することができる。例えば、連結器２７００は、ばね鋼材料またはポリマー材料で作製することができる。ばね鋼製の場合、連結器２７００は、脚部１２の表面などの他の表面を傷つける可能性を最小限にするように、プラスチック材料でコーティングされる。プラスチックコーティングは、連結器２７００をプラスチック浸液に浸すことで塗布することができる。ディッピングされた連結器２７００は、外観がより魅力的になり得る。
【００７５】
操作時、バナー２４００を脚部１２に連結することには、ロッド２４５０を第１の細長いポケット２４６０および第２の細長いポケット２４６４に配置することが含まれる。簡潔にするために、ここでは１つのロッドの配置だけを詳述する。ロッド２４５０が補強された縫合部２４６６に当たるまで、ロッド２４５０をポケット２４６０に挿入する。この状態で、ロッド２４６０の一部が、連結開口２４６１、２４６２で露出する。次いで、連結器２７００をロッド２４５０に配置する。ロッド２４５０は、開口２７１０を通り、脚部連結部２７１２を通り、ロッド連結部２７５０に入る。連結器２７００は、開口２７１０を通過され、ロッド連結部２７５０と脚部連結部２７１２との間の移行領域２７３０を通過されるときに、弾性的に撓むことができる。その結果、連結器２７００は、バナー２４２０のポケット４２６０の連結開口２４６１などの連結開口でロッド２４５０に取り付けられる。次いで、脚部１２を開口２４１０に通す。タブまたは外側折り返し縁部２７１１、２７１３は、開口２７１０の縁部が脚部１２の材料に突き刺さるのを防止する。なお、ロッドまたはだぼ２４５０は、ポケット２４６０から取り外し可能であるので、バナー２４２０上に表示物を印刷する、または配置することを含む作業中に、バナー２４２０を容易に平らにすることができる。ロッド２４５０はまた、ロッド２４５０の交換を容易にするために取り外すことができる。なお、他方の脚部１２の近くのバナー２４２０の縁部に沿ったポケットに別のロッドが配置される。他方のロッド２４５０は、連結器２７００を使用して他方の脚部１２に同様に取り付けられる。
【００７６】
図２８は、別の実施形態による、脚部２８１２に取り付けられたバナー２８２０の断面図を示している。図２９は、別の例示的な実施形態による、スロット２８１０を有する脚部２８１２の側面図を示している。バナー２８２０は、例えば、バナー２８２０の縁部を縁縫いすることで作製される細長いポケット２８６０を含む。細長いポケット２８６０はロッド２４５０を受け入れる。脚部２８１２は細長いスロット２８１０を含む。ポケット２８６０内のロッド２４５０は、細長いスロット２８１０の幅よりも大きい寸法を有する。ロッド２４５０およびポケットは脚部２８１２の底に配置され、バナー２８２０の底がスロット２８１０内に入るまで、脚部２８１２を上方に移動する。次いで、端部キャップ２９１０が脚部２８１２の端部に配置されて、バナー２８２０用のストッパとなり、脚部の底が変形して、スロット２８１０の幅をより広くするのを防止する。端部キャップ２９１０はまた、脚部２８１２を補強する。
【００７７】
上記のロッド、縁縫い部、および連結器は、固定具アセンブリの一部とすることができ、バナーがゴルフバッグの脚部を上下に移動するのを防止するのに寄与することができる。
【００７８】
図３０Ａ、図３０Ｂ、図３０Ｃ、図３０Ｄ、図３０Ｅ、および図３０Ｆは、例示的な実施形態による、ゴルフバッグ（図示せず）の第１の脚部と第２の脚部との間に配置されたバナーの様々な部分図を示している。図３０Ａ〜３０Ｅは、ほとんどすべての形状および大きさのバナーがあり得ると考えられることを示している。なお、図３０Ａ〜３０Ｅは、考えられる様々なバナーを余すところなく示しているのではなくて、単に代表的なサンプルを示しているに過ぎない。図３０Ａ〜３０Ｅに示す様々なバナーのすべてから分かるように、バナーは、脚部３０１２、３０１４間の全空間を占有する必要はない。具体的には、図３０Ａは、脚部３０１２、３０１４間に取り付けられたバナー３０２０が、脚部３０１２、３０１４の高さの約７５パーセントである高さを有する一実施形態を示している。バナー３０２０の高さは、所望する任意の高さとすることができる。図３０Ｂに示すように、脚部３０１２、３０１４間に取り付けられたバナー３０２０’は、脚部３０１２、３０１４の長さの半分未満である高さを有する。図３０Ｃは、２つ以上のバナー３０２０’、３０２２が脚部３０１２、３０１４に取り付けられたバナー構成を示している。他のバナーは台形形状でなくてもよい。例えば、図３０Ｄに示すように、バナー３０４０は三角形形状とされている。他のバナーは、一方の縁部の近くに三角形の切欠きを含む図３０Ｅに示すバナーのように切欠きを含むことができる。海兵隊旗および特定の国に関連する旗などの特定の旗は同様な形状を有する。なお、バナーは台形形状でなくてもよい。一部のバッグは、脚部３０１２、３０１４が互いに対してほぼ平行である位置に展開するバッグスタンド機構を有することができる。この場合に、バナー３０３０は、形状が長方形になる。もちろん、脚部間の長方形の空間に対して、バナー３０３０の形状を様々に変形させることができる。
【００７９】
図３１Ａ、図３１Ｂ、図３１Ｃ、図３１Ｄ、図３１Ｅ、および図３１Ｆは、例示的な実施形態による、ゴルフバッグスタンド（図示せず）の１つの脚部とゴルフバッグ３１１０との間に配置されたバナーの様々な部分図を示している。図３１Ａ〜３１Ｅは、ほとんどすべての形状および大きさのバナーがあり得ると考えられることを示している。なお、図３１Ａ〜３１Ｆは、考えられる様々なバナーを余すところなく示しているのではなくて、単に代表的なサンプルを示しているに過ぎない。図３１Ａ〜３１Ｆに示す様々なバナーのすべてから分かるように、バナーは、脚部３１１２とゴルフバッグ３１１０との間の全空間を占有する必要はない。具体的には、図３１Ａは、脚部３１１２とバッグ３１１０との間に取り付けられたバナー３１２０が、脚部３１１２の高さの約７５パーセントである高さを有し、脚部３１１２とバッグ３１１０との間の空間の大部分に広がる一実施形態を示している。バナー３１２０の高さは、所望する任意の高さとすることができる。図３１Ｂに示すように、脚部３１１２とバッグ３１１０との間に取り付けられたバナー３１２０’は、脚部３１１２の長さの半分未満である高さを有する。そのようなバナー３１２０’は、脚部の長さに沿って所望する任意の高さに配置することができる。バナー３１２０’はまた、バッグ３１１０が起立した状態にある場合に、地面に対して実質的に平行である必要はない。図３１Ｃは、１つを超えるバナー３１２０’、３１２２が脚部３１１２およびバッグ３１１０に取り付けられたバナー構成を示している。他のバナーは他の形状を有してよい。例えば、図３１Ｄに示すように、バナー３１４０は三角形形状とされている。他のバナーは、一方の縁部の近くに三角形の切欠きを含む図３１Ｅに示すバナーのように切欠きを含むことができる。図３１Ｆは半円形の切欠きを特徴とする。様々な形状があり得ると考えられ、しかも、バッグ３１１０の近くに様々なパターンを形成するように組み合わせることさえできる。なお、バッグ３１１０の一方の側が図３１Ａ〜３１Ｅに示されており、他方の側もバナーを含むことができる。一部の実施形態では、バナーは各側で対称であるが、他の応用例では、バッグ３１１０の各側の扱いは非対称とすることができる。
【００８０】
図２９は、例示的な実施形態による、取り外し可能なポケット３２３０が設けられたバナー３２２０の実施形態を示している。取り外し可能なポケット３２３０は取り外すことができるので、バナーに印刷する場合などの様々な機会で実質的に平坦な面を得ることができる。バナー３２２０はまた、バナー３２２０の裏側に取り外し可能なポケット３２４２を含む。ポケット３２４２は隠れ線で示されている。そのようなポケットは、格納機構３２３０などの所望する任意の物品を保持することができる。格納機構３２３０は、端部に連結器３２３４が取り付けられた線材３２３２を含む。連結器３２３４を使用して、ブラシ、クリート清浄ツールなどの所望する任意の物品を取り付けることができる。線材３２３２および連結器３２３４はランヤードとも呼ばれる。一部の実施形態では、ランヤードは、固定式とすることができ、ブラシまたは他のツールを付けられる。取り外し可能なポケットに配置する場合、連結器３２３４は取り外すことができ、その結果、線材は、バナー３２２０の開口を通り抜けることができるので、容易に交換したり、またはバナー３２２０に印刷するために取り外したりできる。ポケットまたはポーチは、バナー３２２０の前面または後面に配置することができる。
【００８１】
バナーに固定されるもの、またはバナーに取り外し可能に取り付けられるものを含む上記の任意のポケットまたはポーチは、様々な材料で作製することができる。考えられる１つの材料として、ＰＶＣを積層した、けば立てトリコット生地がある。その材料は、手触りが柔らかく、耐水性が極めて高い。
【００８２】
図３３は、例示的な実施形態による、ソーラパネル３３３０が設けられたバナー３３２０の実施形態を示している。図３４は、例示的な実施形態による、ソーラパネル３３３０が設けられたバッグ側部バナー３４２０の実施形態を示している。一実施形態では、バナーの前部はソーラパネルを含む。ソーラパネルは、バナー３３２０に取り外し可能に取り付けられてよいし、またはバナー３３２０に恒久的に取り付けられてもよい。ソーラパネル３３３０は、所定の形状または大きさとすることができる。ソーラパネル３３３０は、脚部間にあるバナー３３２０か、または脚部とゴルフバッグ（図示せず）の側面との間に取り付けられるように構成されたバナー３４２０に取り付けることができる。ソーラパネル３３３０を使用して、ラジオ、ゲームシステム、ステレオ、携帯電話、全地球測位システムなどの位置検知装置、または同様のものを含む様々な電気装置に電力を供給することができる。一部の実施形態では、ソーラパネルは、バナーに縫い付けることができる。他の実施形態では、剛性縁部を有するポケットは、ソーラパネルを所定の位置に保持することができる。さらに別の実施形態では、ポケットには、日光が透過できる透明窓を設けることができる。後で使用するために、ソーラパネル３３３０を使用して、携帯電話などの装置を充電することができる。ソーラパネルを使用して、ゴルフバッグまたはバナーに搭載できる電子装置または電灯に電力を供給することもできる。
【００８３】
電子機器などの他の要素を任意のバナーに載せることができる。様々なポーチおよびバッグを設けて電子機器を収容することができる。一部の実施形態では、バッグまたはポーチは取り外し可能なので、印刷時にバナーを平らに広げることができる。前述のように、ポケットおよびポーチは、位置航法システムまたは全地球測位システム（ＧＰＳ）などの位置検知装置を保持することができる。他のタイプの航法測位システムも考えられる。他のシステムには、Ｂｅｉｄｏｕ、ＣＯＭＰＡＳＳ、Ｇａｌｉｌｅｏ、ＧＬＯＮＡＳＳ、Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、またはＱＺＳＳがあり得る。さらに、これらのシステムは、位置信号をメートルまたはセンチメートルレベルの精度までリアルタイムに補正するＲｅａｌ  Ｔｉｍｅ  Ｋｉｎｅｍａｔｉｃ（ＲＴＫ）衛星航法を使用することができる。システムは、北アメリカでの差分補正信号を連邦航空局のＷＡＡＳ衛星から利用することもできる。したがって、本明細書で単にＧＰＳとした表記は、一般位置航法システムと読まれるべきである。
【００８４】
位置航法システムなどのかかる位置検知装置の１つの用途はピン距離推定器である。バッグ１０の位置は自動的に観測することができる。各ピンのグローバル座標は、コンピュータ、またはソフトウェアアプリケーションを実行する携帯機器もしくは携帯電話にも送ることができる。スコアは、前のホールで電子的に入力することができ、装置は、デフォルトとして、次のホールのピン配置を提示することができる。コンピュータは、ピンおよびバッグの位置を求め、２つの間の距離を表示することができる。バナーには、ピンまでの距離をゴルファーに示す表示装置３３７０を設けることさえできる。表示装置は、現在プレーされている特定のホールを選択して、ホールに対するデフォルト設定を無効にするための入力装置を含むこともできる。一部の実施形態では、ホール番号は、バッグがホールの既知のティーボックスから特定の距離以内に置かれた場合に自動的に選択することができる。これはクラブを選択するために、および選択したクラブをどのように使用すべきかを判断するために使用することができる。
【００８５】
図３５は、例示的な実施形態による、ただ１つの脚部を有する機械式スタンドおよびバナー３５２０の実施形態を示している。他のスタンド機構にも、バナーを設けることができる。図３５に示すように、バッグ３５１０には、単一脚部のスタンド機構３５４０が設けられている。１つまたは２つのバナーを単一脚部と、バッグまたはバッグ３５１０に近い位置とに取り付けることができる。三角バナー３５２０は、脚部３５１２および横脚部３５１３、３５１４に取り付けることもできる。バナーは、バッグ３５１０に付属するバッグスタンド装置３５４０の任意の変形形態に適合することができる。
【００８６】
図３６は、側部バナー３６２０をバッグ３６１０に連結するシステムを示している。システムは、上部カラー３６３０および底カラー３６４０を含む。上部カラー３６３０は、バッグ３６１０の上部を囲んで密着する大きさとされる。底カラー３６４０は、バッグ３６１０の底を囲んで密着する大きさとされる。上部カラー３６３０および底カラー３６４０は、弾性材料で作製されてよいし、またはカラーをバッグ３６１０の上部および底に調整可能に取り付けることができるように、マジックテープの様々な部分を備えた第１の端部および第２の端部を有してもよい。上部カラー３６３０には、ロッド３６５０の一端を受け入れる小幅のポケット３６３２を設けることができ、底カラー３６４０にも、ロッドの他端を受け入れる小幅のポケット３６４２を含むことができる。バナーには、ロッド３６５０を保持する細長い小幅のポケット３６２２をバッグ３６１０に最も近い縁部に沿って形成する縁縫いを設けることができる。示すように、上部カラー３６３０内に１つのポケット３６３２が示され、底カラー３６４０内に１つのポケット３６４２がある。他の実施形態では、ポケットは、側部バナー３６２０などの側部バナーをバッグ３６１０の左側または右側に保持できるように設けることができる。さらに別の実施形態では、複数の細い開口が、底カラー３６４０の各側部および上部カラー３６３０の各側部に設けられる。これは、ロッド端部を受け入れるいくつかの開口を提供する。この場合に、嵌め合わせを改善するために、いくつかの開口にわたってロッドを移動させることで、取り付けを容易に調整することができる。カラーはまた、多くのバッグと調和する無彩色で作製されてよいし、またはバッグの色を引き立てる、すなわちバッグの色に合った複数の色で作製されてもよい。
【００８７】
カラーはまた、カップホルダーなどの他の物品を保持することができる。クリップ２７００も、カップまたはカップホルダーをゴルフバッグの脚部に保持するように構成することができる。カップホルダーには、バナーを保持するのに使用されるロッドと同じ直径のロッドまたはだぼを設けることができる。カップホルダーは、液体が容器からこぼれないように重力とほぼ整合する位置で液体容器を保持する。一例では、カップホルダー部分は、スタンド機構の脚部に対して傾くことができる。
【００８８】
図３６は、例示的な実施形態による、バッグ１０を保護するためのショール３７００の実施形態を示している。他の実施形態として、バッグ全体に巻き付くバッグカバー３７００があり得る。これは、バッグ１０のまわり全体に巻き付くショールになぞらえることができる。ショール３７００は、バッグ自体にあるポケットおよびポーチに手が届くようにする開口を有する。他のポケットおよびポーチをショールに設けることができる。広告または他の表示物をショールの表面の望ましいいずれかの位置に配置することができる。ショールにはまた、クラブヘッドを覆うように展開できるフード（図示せず）を設けることができる。フードは、ショールの上縁部の、またはその近くのポケットに持たせることができる。他の実施形態では、フードは、随意に素早く展開できるように、単にショール３７００の上部に取り付けることができる。
【００８９】
図３７は、例示的な実施形態による３面表示装置３８２０の平面図を示している。図３８は、例示的な実施形態による別の３面表示装置３９２０の平面図を示している。図３７および図３８は、それぞれ３面表示装置を示す図３９および図４０との関連で以下に説明される。図３９は、例示的な実施形態による、スタンド機構の脚部に取り付けられた３面バナーの側面図を示している。図４０は、スタンド機構の脚部に取り付けられた３面バナーの斜視図を示している。
【００９０】
２つの３面表示装置３８２０、３９２０は密接に関連している。３面表示装置３８２０は、３８３０と、３面、すなわち、バッグ３８１０の右側と脚部３８１２の一方との間の領域、脚部３８１２間の領域、およびバッグ３８１０の左側と脚部３８１２の他方との間の領域を形成し、これらの領域に広がる、カラーに取り付けられた布の部分とを含む。連結器アーム３８４０および連結器アーム３８４２が布に取り付けられている。カラーアーム３８４０は、マジックテープの第１の部分を担持し、一方、カラーアーム３８４２は、マジックテープの第２の部分を担持している。その結果、カラーアーム３８４０は、バッグ３８１０の底部分に巻き付けられて、バナー３８２０をバッグに取り外し可能に取り付けることができる。
【００９１】
表示装置３９２０は、表示装置３８２０とほとんど同様である。３面表示装置３９２０は、３０３０と、３面、すなわち、バッグ３８１０の右側と脚部３８１２の一方との間の領域、脚部３８１２間の領域、およびバッグ３８１０の左側と脚部３８１２の他方との間の領域を形成し、これらの領域に広がる、カラーに取り付けられた布の部分とを含む。連結器アーム３９４０および連結器アーム３９４２が布に取り付けられている。カラーアーム３９４０は、マジックテープの第１の部分を担持し、一方、カラーアーム３９４２は、マジックテープの第２の部分を担持している。カラーアーム３９４０、３９４２は長さが実質的に等しい。その結果、カラーアーム３９４０は、バッグ３８１０の底部分に部分的に巻き付けることができ、カラーアーム３９４２も同様にバッグの底部分の一部に巻き付けられ、バナー３９２０をバッグに取り外し可能に取り付けるために互いに取り付けることができる。
【００９２】
本明細書で説明するバナーは、ゴルフバッグ容器まで延びる、すなわち、脚部以外の位置で取り付く。バナーは、バナーがゴルフバッグと統合されるように、ゴルフバッグ容器に直接縫合または接着することができる。
【００９３】
図４１Ａ〜４１Ｃは、ゴルフバッグ脚部１２用のスピーカー取付具４１００を示している。スピーカー取付具は、クリップ４１０１と、回動可能な継手４１０４によってクリップに保持されるスピーカー４１０３とを含むことができる。スピーカー４１０３は、屋外で使用できる全天候型スピーカーである。回動可能な継手は、スピーカーが、使用者が所望する方向であって、ゴルフバッグのスタンド機構の動作を妨害しない位置にスピーカーを保持する方向を向くように回動するのを可能にする。ワイヤ４１０５は、スピーカーからゴルフバッグの脚部１２に沿って延びて音源につながる。図４１Ｃを参照されたい。クリップは、脚部１２の外側の位置にスピーカーを保持している。クリップ４１０１は、脚部１２から取り外すことができる。一例では、クリップ４１０１は、ゴルフバッグバナー用の連結器とすることができる。さらなる例では、クリップ４１０１は、補強ロッドまたは固定構造体（ロッド、縁縫いなど）に連結される。ワイヤ４０５は、スピーカーからバナーの補強ロッドまたは固定構造体に沿って延びて音源につながる。図４１Ｂは、ゴルフバッグ脚部の内側に配置されたスピーカー４１０３を示している。図４１Ｃは、複数のスピーカー４１０３が、クリップ４１０１に連結された旋回継手４１０４上にあるオーディオシステムのアセンブリ４１１０を示している。アセンブリ４１１０は、図４１Ｃにおいて、バナー２０の背面または裏側に示されている。この場合、ワイヤ４１０５はバナー２０に取り付けることができる。一方のスピーカーが、バナー２０の外側に示され、他方は、バナー２０の内側または下に示されている。増幅器４１１４は、音を増幅し、音響品質を高めるために設けられている。防水性とすることができるポケット４１１３は、音響信号を発生させる電子機器４１１５を収容するために設けられている。電子機器４１１５には、携帯音楽プレイヤーまたは携帯電話が含まれ得る。
【００９４】
図４２Ａ、図４２Ｂは、ゴルフバッグ脚部１２の底の上をスライドできる靴下４２３７を含むさらなる固定具４２３５を示している。靴下４２３７は、ゴルフバッグ脚部の下側端部を受け入れるための受け口４２４３と共に、開いた上部４２４１および閉じた底４２４２を有する。靴下の閉じた底端部は、脚部１２の足と接触し、靴下が脚部１２上を上方にスライドするのを防止する。靴下４２３７は、バナーに組み込むことができる。一例では、靴下４３２７は、独立した部片とすることができ、靴下の主要部から外側に延びる旗部４２４７を含む。旗部４２４７は、バナーを取り付けることができる取付具を形成する。旗部４２４７は、マジックテープの一方の部分を有することができ、バナーは、マジックテープの他方の部分を有することができる。
【００９５】
さらなる例では、バナーをゴルフバッグの脚部の長さに沿って引き延ばした状態に維持する留め具には、ポップリベットまたはゴルフバッグの脚部に適した他の留め具があり得る。他のタイプの留め具として、脚部またはゴルフバッグ上のスナップの雄部または雌部の一方と、バナー２０上にある、または中間構造体、例えば、タブ、弾性縁部、弾性バンド、拡張部などを介してバナーに取り付けられた他方とを備えたスナップがあり得る。
【００９６】
固定具には、バナーを脚部の所定の位置に保持する他の構造体もあり得る。一例では、バナーは、バナーの底にあって、脚部を挿入できるポケットを含む。ポケットは底で閉じることができるので、バナーは脚部上を上方にスライドすることができない。
【００９７】
固定具はまた、実質的にバナーの側部の長さを延長するマジックテープとすることができる。マジックテープからなる構造体には、通常、バナーがゴルフバッグ脚部の長さに沿って上下にスライドする、またはひだ状になるのを防止するのに十分な剛性がある。さらなる例では、マジックテープの一方の部分は、ゴルフバッグ脚部上の位置に固定される。他方の部分はバナーに固定することができる。２つの部分は取り外し可能に連結することができる。脚部上の位置に、例えば、脚部の長さに沿って恒久的に、または移動できないように固定された第１の部分は、スタンド機構の動作を妨害する可能性を小さくするために、バナーの動作を改善するのに必要な固定具を形成する。
【００９８】
現在説明している実施形態が、任意の形状のゴルフバッグ脚部と併用でき、任意の長さの脚部に適応できることが当業者には分かるであろう。ゴルフバッグスタンド機構のほとんどの脚部は円筒状であるが、多角形断面の脚部などの他の形状も本開示と共に使用することができる。
【００９９】
本明細書で説明したバナーは、ゴールドバッグ脚部の一部であるように形成することもできる。一例では、バナーは脚部内に巻かれ、バナーの一部がスリットから外に突出する。バナーは、ブラインドと同様に構築することができる。バナーが脚部内に完全に引っ込むのを防止するために、バナーの自由端にストッパを取り付けることができる。使用者は、バナーのストッパまたは自由端を把持し、他方のゴルフバック脚部か、またはゴルフバッグのいずれかにある取付具までバナーを引っ張る。バナーは、例えば、本明細書で説明した態様で取付具に固定される。その結果、バナーを容易に展示でき、使用しない場合に格納することができる。
【０１００】
本開示の例として、図１〜７、図１８Ａ〜１８Ｂ、図１９Ａ〜１９Ｃ、図２４、図２９、図３０Ａ〜３０Ｆ、図３１Ａ〜図３１Ｆ、図３２〜４０、および図４１Ｃに記載した任意のバナーを有するゴルフバッグを挙げることができる。ゴルフバッグは、ゴルフクラブを受け入れる容器と、容器に連結され、スタンド位置と格納位置との間を移動可能な少なくとも２つの脚部を含むスタンドと、２つの脚部間に連結されたバッグバナーとを含むことができる。バッグバナーは、少なくとも、スタンド位置と格納位置との間を移動可能な可撓性本体と、ひだ状にならず、スタンドの動作を妨害しないように可撓性本体を脚部の長さに沿って保持する配置機構と、可撓性本体を２つの脚部に固定する連結器機構とを含むことができる。配置機構は、バッグバナーの縁部に沿って延びる補強ロッドを含むことができる。可撓性本体は、補強ロッドに隣接する開孔を含むことができ、連結器機構は、補強ロッドおよびゴルフバッグ脚部の１つと係合するように開孔を貫通する。連結器機構は、バッグバナーを２つの脚部に固定するように配置機構と係合する。可撓性本体は、第１の縁部および第２の縁部を含むことができ、配置機構は、第１の縁部に隣接して延びる第１の補強ロッドと、第２の縁部に隣接して延びる第２の補強ロッドとを含み、連結器機構は、第１の補強ロッドおよび２つの脚部の第１の脚部と係合する第１の連結器と、第２の補強ロッドおよび２つの脚部の第２の脚部と係合する第２の連結器とを含む。
【０１０１】
本明細書で説明したバナーは、様々な長さの脚部を有するゴルフバッグで使用することができ、脚部に正確に合わせる必要がない。ゴルフバッグの容器の上部にバナーを取り付けなければならない場合、バナーの底は、高い位置をとることができ、脚部が完全に拡張するのを防止することができる。このバナーは、任意の長さの脚部で使用することができ、任意の高さに調整することができ、したがって、スタンド機構が正確に機能するのを可能にする適切な高さで脚部に取り付けることができる。厚い縁縫い、ロッド、だぼ、または追加した層で形成された剛性または半剛性の側部は、スタンド機構と絡まないように、脚部と共にバナーを引き延ばした状態に維持する。他の実施形態は、脚部が位置間を移動するときにひだ状になる、脚部を上がっていく、または脚部を下方にスライドしていくといったことなしに、バナーを脚部に沿って引き延ばした状態に維持するように、バナーの隅部、または隅部に隣接した部分を固定することで、上記の特徴を実現する。
【０１０２】
上記において、本開示の主題の範囲内に含まれる本発明（１つまたは複数）のいくつかの例示的な実施形態を詳細に説明した。そのような発明（１つまたは複数）は、本明細書において、単に便宜上、また、１つを超えるものが実際に開示された場合、本出願の範囲を単一の発明または発明概念に限定することを意図することなく、個々におよび／または集合的に、「発明」という用語で称することができる。詳細な説明は、本明細書の一部を形成し、図解を用いるが限定することなく、好ましい実施形態を含む本発明のいくつかの特定の実施形態を示す添付図面について言及する。これらの実施形態は、当業者が本発明の主題を理解および実施することを可能にするほど十分詳細に説明されている。他の実施形態を利用することができ、本発明の主題の範囲から逸脱することなく変更を行うことができる。したがって、特定の実施形態が本明細書で図示および説明されたが、示した特定の実施形態に代えて、同じ目的を達成するよう考慮された任意の装置を用いることができる。本開示は、様々な実施形態の任意のおよびすべての改造または変形を包含することを意図されている。上記の説明を再検討することで、上記の実施形態の組み合わせ、および本明細書に具体的に記載されていない他の実施形態が、当業者に明らかになるであろう。
【０１０３】
上記の説明を再検討することで、他の実施形態が当業者に明らかになるであろう。したがって、本発明の範囲は、添付の特許請求の範囲が権利を付与される等価物の全範囲と共に、そのような特許請求の範囲に基づいて判断されるべきである。添付の特許請求の範囲において、「ｉｎｃｌｕｄｉｎｇ」および「ｉｎ  ｗｈｉｃｈ」という用語は、それぞれの用語「ｃｏｍｐｒｉｓｉｎｇ」および「ｗｈｅｒｅｉｎ」の平易な英語の同等用語として使用される。また、添付の特許請求の範囲において、「含む」という用語は非限定的である、すなわち、請求項にあるそのような用語の後に列挙された要素に加えて、要素を含むシステム、装置、物品、またはプロセスもやはりその請求項の範囲内に入ると考えられる。さらに、添付の特許請求の範囲において、「第１の」「第２の」および「第３の」などの用語は、単なる標記として使用され、それらの対象に数的規定を課すことを意図しない。
【０１０４】
本明細書において、「または」という用語の使用は、別途指定のない限り、非排他的な「または」と解釈されるべきである。
【０１０５】
前述の「発明を実施するための形態」において、本開示を簡潔にするために、様々な特徴が単一の実施形態にまとめられている。この開示方法は、本発明の権利を主張する実施形態が、各請求項で明示的に列挙されるよりも多い特徴を必要とするという意図を反映していると解釈すべきでない。むしろ、添付の特許請求の範囲が示すように、発明の主題は、単一の開示した実施形態のすべての特徴よりも少ない特徴の中にある。このため、添付の特許請求の範囲は、本明細書によって「発明を実施するための形態」に援用され、各請求項はそれ自体別個の好ましい実施形態として独立している。
【０１０６】
本発明の本質を説明するために、説明および図示された構成要素および方法段階の細部、材料、および構成を、添付の特許請求の範囲に記載された本発明の原理および範囲から逸脱することなく、他の様々な変更ができると当業者には容易に分かるであろう。
【０１０７】
米国において、「要約」は、読者が技術的な開示の本質および要点を素早く把握することを可能にする「要約」でなければならないとした３６  Ｃ．Ｆ．Ｒ．§１．６２（ｂ）を遵守して作成されることを強く申し述べておく。要約は、請求項の範囲または意味を解釈する、または限定するために使用されないという了解のもとに提示される。
【図１】
2013529962.tif 000003
【図２】
2013529962.tif 000004
【図３】
2013529962.tif 000005
【図４】
2013529962.tif 000006
【図５】
2013529962.tif 000007
【図６】
2013529962.tif 000008
【図８】
2013529962.tif 000009
【図９】
2013529962.tif 000010
【図１０】
2013529962.tif 000011
【図１１】
2013529962.tif 000012
【図１２】
2013529962.tif 000013
【図１３Ａ】
2013529962.tif 000014
【図１３Ｂ】
2013529962.tif 000015
【図１４】
2013529962.tif 000016
【図１５】
2013529962.tif 000017
【図１６】
2013529962.tif 000018
【図１７】
2013529962.tif 000019
【図１８Ａ】
2013529962.tif 000020
【図１８Ｂ】
2013529962.tif 000021
【図１９Ａ】
2013529962.tif 000022
【図１９Ｂ】
2013529962.tif 000023
【図１９Ｃ】
2013529962.tif 000024
【図２０】
2013529962.tif 000025
【図２１】
2013529962.tif 000026
【図２２】
2013529962.tif 000027
【図２３】
2013529962.tif 000028
【図２４】
2013529962.tif 000029
【図２５】
2013529962.tif 000030
【図２６】
2013529962.tif 000031
【図２７】
2013529962.tif 000032
【図２８】
2013529962.tif 000033
【図２９】
2013529962.tif 000034
【図３０Ａ】
2013529962.tif 000035
【図３０Ｂ】
2013529962.tif 000036
【図３０Ｃ】
2013529962.tif 000037
【図３０Ｄ】
2013529962.tif 000038
【図３０Ｅ】
2013529962.tif 000039
【図３０Ｆ】
2013529962.tif 000040
【図３１Ａ】
2013529962.tif 000041
【図３１Ｂ】
2013529962.tif 000042
【図３１Ｃ】
2013529962.tif 000043
【図３１Ｄ】
2013529962.tif 000044
【図３１Ｅ】
2013529962.tif 000045
【図３１Ｆ】
2013529962.tif 000046
【図３２】
2013529962.tif 000047
【図３３】
2013529962.tif 000048
【図３４】
2013529962.tif 000049
【図３５】
2013529962.tif 000050
【図３６】
2013529962.tif 000051
【図３７】
2013529962.tif 000052
【図３８】
2013529962.tif 000053
【図４１Ａ】
2013529962.tif 000054
【図４１Ｂ】
2013529962.tif 000055
【図４２Ａ】
2013529962.tif 000056
【図４２Ｂ】
2013529962.tif 000057
【図７】
2013529962.tif 000058
【図３９】
2013529962.tif 000059
【図４０】
2013529962.tif 000060
【図４１Ｃ】
2013529962.tif 000061
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
少なくとも、第１の位置と第２の位置との間を移動可能な可撓性本体と、
前記可撓性本体をゴルフバッグの脚部に固定する連結器機構と、
前記可撓性本体をゴルフバッグの前記脚部に沿って垂直方向に固定された状態に維持する固定具と、
を含むゴルフバッグバナー。
【請求項２】
前記可撓性本体は、格納位置とバッグスタンド位置との間を移動可能な前記ゴルフバッグ脚部を用いて折り畳むことができる軽量の布を含む、請求項１に記載のゴルフバッグバナー。
【請求項３】
前記可撓性本体は、多層布と、前記多層布の外面上の画像とを含む、請求項１または２に記載のゴルフバッグバナー。
【請求項４】
前記可撓性本体は、主要部と前記脚部に隣接して長手方向に延びる弾性縁取り部とを含む、請求項１〜３のいずれか一項に記載のゴルフバッグバナー。
【請求項５】
前記可撓性本体は、マグネット、ポケット、音楽再生装置、可撓性の細長い連結器、またはそれらの組み合わせの少なくとも１つを含む、請求項１〜４のいずれか一項に記載のゴルフバッグバナー。
【請求項６】
前記連結器機構は、前記可撓性本体に縫い付けられたストラップ、前記可撓性本体内のボタン穴またはスロット、前記ゴルフバッグの前記移動可能な脚部に巻き付けることができる所定の長さの材料、プラスチッククランプ、パラシュートクリップ、ストラップ、またはそれらの組み合わせの少なくとも１つを含む、請求項１〜５のいずれか一項に記載のゴルフバッグバナー。
【請求項７】
前記連結器機構は、ゴルフバッグの脚部と係合する非スライド面を含む、請求項１〜６のいずれか一項に記載のゴルフバッグバナー。
【請求項８】
前記連結器機構はクランプを含み、前記クランプは、ゴルフバッグの脚部と係合する非スライド面を含み、前記ゴルフバッグの前記脚部を上下にスライドしない、請求項１〜７のいずれか一項に記載のゴルフバッグバナー。
【請求項９】
前記連結器機構は、前記可撓性本体の外側縁部から形成された管状体を含む、請求項１〜８のいずれか一項に記載のゴルフバッグバナー。
【請求項１０】
前記連結器機構は、前記ゴルフバッグの移動可能な脚部を受け入れるのに適した前記可撓性本体に取り付けられた管状体を含む、請求項１〜９のいずれか一項に記載のゴルフバッグバナー。
【請求項１１】
前記可撓性本体は、弾性縁取り部、前記可撓性本体の１つまたは複数の縁取り部に沿ったマジックテープ材料、および前記可撓性本体の前記縁取り部に沿った１つまたは複数のジッパーの少なくとも１つ、またはそれらの組み合わせを含む、請求項１〜１０のいずれか一項に記載のゴルフバッグバナー。
【請求項１２】
前記可撓性本体は耐水性であり、後面および前面を含み、前記可撓性本体は、前記ゴルフバッグに隣接して縮んでいるか、または前記ゴルフバッグの脚部を用いて拡張されているかのいずれかの状態で、前記前面がタオルを湿気から保護するように、前記タオルを前記ゴルフバッグに近い前記後面に隣接して保持する、請求項１〜１１のいずれか一項に記載のゴルフバッグバナー。
【請求項１３】
スタンド付きゴルフバッグと共に使用するゴルフバッグ表示装置であって、
第１の縁部および第２の縁部を含むバナーと、
前記第１の縁部および前記第２の縁部の一方と隣接して長手方向に延びる補強材と、
少なくとも、前記バナーの第１の縁部および第２の縁部に取り付くように配置された連結機構の少なくとも一部分であって、前記バナーは、ゴルフバッグとゴルフバッグの第１の脚部と第２の脚部との間の空間にある平面の少なくとも一部分に広がる大きさとされる、連結機構の少なくとも一部分と、
を含み、
前記補強材ロッドは、前記ゴルフバッグの前記第１の脚部および前記第２の脚部の動作を妨害しないように、前記バナーを前記第１の脚部および前記第２の脚部の一方に沿って所定の位置に保持する、ゴルフバッグ表示装置。
【請求項１４】
前記バナーは、前記ゴルフバッグの前記第１の脚部と前記第２の脚部との間に収まる、請求項１３に記載のゴルフバッグ表示装置。
【請求項１５】
前記バナーは、前記ゴルフバッグの前記第１の脚部または前記第２の脚部の一方と前記ゴルフバッグとの間に収まる、請求項１３または１４に記載のゴルフバッグ表示装置。
【請求項１６】
前記連結機構の前記少なくとも一部分は、前記バナーの前記第１の縁部または前記第２の縁部の一方の近くに配置された少なくとも１つの開口を含む、請求項１３〜１５のいずれか一項に記載のゴルフバッグ表示装置。
【請求項１７】
前記連結機構の前記少なくとも一部分は、前記ゴルフバッグの第１の脚部または第２の脚部の一方に取り付くように構成された連結器を含む、請求項１３〜１６のいずれか一項に記載のゴルフバッグ表示装置。
【請求項１８】
前記連結機構の前記少なくとも１つの部分は、前記バナーに取り付けられたストラップを含み、前記ストラップは、前記ゴルフバッグの周縁部を囲んで密着する大きさとされる、請求項１３〜１７のいずれか一項に記載のゴルフバッグ表示装置。
【請求項１９】
前記連結機構の前記少なくとも１つの部分は、前記バナーの前記周縁部の近くの材料縁縫い部を含む、請求項１３〜１８のいずれか一項に記載のゴルフバッグ表示装置。
【請求項２０】
前記補強材は前記縁縫い部内に配置されただぼを含む、請求項１３〜１９のいずれか一項に記載のゴルフバッグ表示装置。
【請求項２１】
前記連結機構の前記少なくとも１つの部分は、前記縁縫い部内に配置されたコードを含む、請求項１３〜２０のいずれか一項に記載のゴルフバッグ表示装置。
【請求項２２】
前記バナーはメッシュ材料を含む、請求項１３〜２１のいずれか一項に記載のゴルフバッグ表示装置。
【請求項２３】
前記バナーに取り付けられた少なくとも１つの付属品をさらに含む、請求項１３〜２２のいずれか一項に記載のゴルフバッグ表示装置。
【請求項２４】
前記材料は、少なくとも１つのポケットを含む、請求項１３〜２３のいずれか一項に記載のゴルフバッグ表示装置。
【請求項２５】
前記バナーは、実質的に、ゴルフバッグとゴルフバッグの第１の脚部と第２の脚部との間の空間にある少なくとも１つの平面に広がる大きさとされる、請求項１３〜２４のいずれか一項に記載のゴルフバッグ表示装置。
【請求項２６】
ゴルフクラブを受け入れる容器と、
前記容器に連結され、スタンド位置と格納位置との間を移動可能な少なくとも２つの脚部を含むスタンドと、
前記２つの脚部間に連結されたバッグバナーと、
を含むゴルフバッグであって、前記バッグバナーは、
少なくとも、スタンド位置と格納位置との間を移動可能な可撓性本体と、
ひだ状にならず、前記スタンドの動作を妨害しないように前記可撓性本体を脚部の長さに沿って保持する配置機構と、
前記可撓性本体を前記２つの脚部に固定する連結器機構と、
を含む、ゴルフバッグ。
【請求項２７】
前記配置機構は、前記バッグバナーの縁部に沿って延びる補強ロッドを含む、請求項２６に記載のゴルフバッグ。
【請求項２８】
前記可撓性本体は、前記補強ロッドに隣接する開孔を含み、前記連結器機構は、前記補強ロッドおよび前記ゴルフバッグ脚部の１つと係合するように前記開孔を貫通する、請求項２６または２７に記載のゴルフバッグ。
【請求項２９】
前記連結器機構は、前記バッグバナーを前記２つの脚部に固定するように前記配置機構と係合する、請求項２６〜２８のいずれか一項に記載のゴルフバッグ。
【請求項３０】
前記可撓性本体は、第１の縁部および第２の縁部を含み、前記配置機構は、前記第１の縁部に隣接して延びる第１の補強ロッドと、前記第２の縁部に隣接して延びる第２の補強ロッドとを含み、前記連結器機構は、前記第１の補強材ロッドおよび前記２つの脚部の第１の脚部と係合する第１の連結器と、前記第２の補強材ロッドおよび前記２つの脚部の第２の脚部と係合する第２の連結器とを含む、請求項２６〜２９のいずれか一項に記載のゴルフバッグ。
【手続補正２】
【補正対象書類名】明細書
【補正対象項目名】０００７
【補正方法】変更
【補正の内容】
【０００７】
【図１】ゴルフバッグと、ゴルフバッグスタンドの２つの脚部間に連結されたバッグバナーの実施形態とを示している。
【図２】図１に示すゴルフバッグおよびバッグバナーの正面斜視図を示している。
【図３】スタンドの脚部が格納位置にあり、バッグバナーの実施形態が折り畳んだ、またはコンパクト化した構成にあるゴルフバッグを示している。
【図４】スタンドの脚部が格納位置にあり、バッグバナーの実施形態が折り畳んだ、またはコンパクト化した構成にあるゴルフバッグを示しており、バッグバナーはゴルフバッグスタンド機構に干渉していない。
【図５】ゴルフバッグおよびバッグバナーの実施形態を示しており、バッグバナーは、取り付け可能な部材に連結する、または取り付けるための実用コードを含む。
【図６】ゴルフバッグおよびバッグバナーの実施形態を示しており、バッグバナーは、取り付け可能な部材に連結する、または取り付けるための実用コードを含む。
【図７】ゴルフバッグおよびバッグバナーの実施形態を示しており、バッグバナーは表号を表示している。
【図８】バッグバナーをゴルフバッグスタンドの脚部に連結する連結器機構として使用できるスロット付きストラップを示している。
【図９】ストラップを閉じた状態で固定できる固定突起が見える、図８のスロット付きストラップの反対側を示している。
【図１０】ゴルフバッグスタンドの脚部を囲んで固定された図８のスロット付きストラップと、スロット付きストラップのスロットを通り抜けた固定用ポストの１つとを示している。
【図１１】バッグバナーをゴルフバッグスタンドの脚部に連結する連結器機構として使用できる、ロッドを備えたスロット付きストラップを示している。
【図１２】ゴルフバッグスタンドの脚部を囲んで固定された図１１のスロット付きストラップを示し、スロット付きストラップのスロットを通り抜けたスロット付きストラップのロッドを示している。
【図１３Ａ】バッグバナーをゴルフバッグスタンドの脚部に取り付ける連結器機構として使用できるクランプを示している。
【図１３Ｂ】バッグバナーをゴルフバッグスタンドの脚部に取り付ける連結器機構として使用できるクランプを示している。
【図１４】ゴルフバッグスタンドの脚部を囲んで閉じた状態にある図１３のクランプを示している。
【図１５】バッグバナーをゴルフバッグスタンドの脚部に取り付ける連結器機構として使用できる包囲装置を示している。
【図１６】バッグバナーをゴルフバッグスタンドの脚部に取り付ける連結器機構として使用できる結束ケーブルを示している。
【図１７】バッグバナーをゴルフバッグスタンドの脚部に取り付ける連結器機構として使用できる結束ケーブルを示しており、結束ケーブルは非スリップ性の裏当てを有する。
【図１８Ａ】例示的な実施形態による、バナーが取り付けられたゴルフバッグの例を示している。
【図１８Ｂ】例示的な実施形態によるバナーの正面図を示している。
【図１９Ａ】例示的な実施形態による、バナーが取り付けられたゴルフバックの例の斜視図を示している。
【図１９Ｂ】例示的な実施形態によるバナーの正面図を示している。
【図１９Ｃ】例示的な実施形態による、ゴルフバッグから外したバナーを示している。
【図２０】例示的な実施形態による、バナーをゴルフバッグの脚部に固定するためのクランプを示している。
【図２１】例示的な実施形態による、ゴルフバッグおよびスタンド機構の一実施形態を示している。
【図２２】バッグバナーの１つの例示的な実施形態で連結システムの一部として使用されるＣ字形状のクランプの平面図を示している。
【図２３】例示的な実施形態によるブリッジを示しており、クランプまたは連結器はブリッジを貫通し、次いで、脚部につながることができる。
【図２４】例示的な実施形態による、スタンド機構の脚部に取り付けられたバナーの斜視図を示している。
【図２５】例示的な実施形態による、連結システムの一部として使用されるクランプの平面図を示している。
【図２６】別の例示的な実施形態による連結器の平面図を示している。
【図２７】別の例示的な実施形態による、脚部に取り付けられたバナーの断面図を示している。
【図２８】別の例示的な実施形態による、スロットを有する脚部の側面図を示している。
【図２９】例示的な実施形態による、取り外し可能なポケットが設けられたバナーの実施形態を示している。
【図３０Ａ】例示的な実施形態による、ゴルフバッグの第１の脚部と第２の脚部との間に配置されたバナーの様々な部分図を示している。
【図３０Ｂ】例示的な実施形態による、ゴルフバッグの第１の脚部と第２の脚部との間に配置されたバナーの様々な部分図を示している。
【図３０Ｃ】例示的な実施形態による、ゴルフバッグの第１の脚部と第２の脚部との間に配置されたバナーの様々な部分図を示している。
【図３０Ｄ】例示的な実施形態による、ゴルフバッグの第１の脚部と第２の脚部との間に配置されたバナーの様々な部分図を示している。
【図３０Ｅ】例示的な実施形態による、ゴルフバッグの第１の脚部と第２の脚部との間に配置されたバナーの様々な部分図を示している。
【図３０Ｆ】例示的な実施形態による、ゴルフバッグの第１の脚部と第２の脚部との間に配置されたバナーの様々な部分図を示している。
【図３１Ａ】例示的な実施形態による、ゴルフバッグスタンドの１つの脚部とゴルフバッグとの間に配置されたバナーの様々な部分図を示している。
【図３１Ｂ】例示的な実施形態による、ゴルフバッグスタンドの１つの脚部とゴルフバッグとの間に配置されたバナーの様々な部分図を示している。
【図３１Ｃ】例示的な実施形態による、ゴルフバッグスタンドの１つの脚部とゴルフバッグとの間に配置されたバナーの様々な部分図を示している。
【図３１Ｄ】例示的な実施形態による、ゴルフバッグスタンドの１つの脚部とゴルフバッグとの間に配置されたバナーの様々な部分図を示している。
【図３１Ｅ】例示的な実施形態による、ゴルフバッグスタンドの１つの脚部とゴルフバッグとの間に配置されたバナーの様々な部分図を示している。
【図３１Ｆ】例示的な実施形態による、ゴルフバッグスタンドの１つの脚部とゴルフバッグとの間に配置されたバナーの様々な部分図を示している。
【図３２】例示的な実施形態による、ソーラパネルが設けられたバナーの実施形態を示している。
【図３３】例示的な実施形態による、ソーラパネルが設けられたバッグ側部バナーの実施形態を示している。
【図３４】例示的な実施形態による、ただ１つの脚部を有する機械式スタンドおよびバナーの実施形態を示している。
【図３５】例示的な実施形態による、側部バナーをゴルフバッグに連結するシステムを示している。
【図３６】例示的な実施形態による、ゴルフバッグを保護するためのショールの実施形態を示している。
【図３７】例示的な実施形態による、３面表示装置の平面図を示している。
【図３８】例示的な実施形態による、別の３面表示装置の平面図を示している。
【図３９】例示的な実施形態による、スタンド機構の脚部に取り付けられた３面バナーの側面図を示している。
【図４０】例示的な実施形態による、スタンド機構の脚部に取り付けられた３面バナーの斜視図を示している。
【図４１Ａ】例示的な実施形態による、ゴルフバッグ用のスタンド機構の脚部に取り付けられた出力装置の図を示している。
【図４１Ｂ】例示的な実施形態による、ゴルフバッグ用のスタンド機構の脚部に取り付けられた出力装置の図を示している。
【図４１Ｃ】例示的な実施形態による、ゴルフバッグ用のスタンド機構の脚部に取り付けられた出力装置の図を示している。
【図４２Ａ】例示的な実施形態によるバナー連結器の図を示している。
【図４２Ｂ】例示的な実施形態によるバナー連結器の図を示している。
【手続補正３】
【補正対象書類名】明細書
【補正対象項目名】０００８
【補正方法】変更
【補正の内容】
【０００８】
すべての図は、本開示の基本的な記述および教示に関する説明を容易にするために示される。実施形態を形成する部品の数量、位置、関係、および寸法に関して図を補足するものについては、本明細書でさらに説明されるか、または以下の説明が読まれ、かつ理解された後、当業者によって推察される。重量、強度、流れ、使用法、および同様の要件に適合する正確な寸法および寸法比についても同様に、以下の説明が読まれ、かつ理解された後、当業者の技能の範疇に入るものである。
【手続補正４】
【補正対象書類名】明細書
【補正対象項目名】００１３
【補正方法】変更
【補正の内容】
【００１３】
図１〜４は、バッグバナー２０を有するゴルフバッグ１０を示しており、バッグバナー２０は、ゴルフバッグ１０のスタンド機構１４に付属する、１つまたは複数のポストあるいは脚部１２などのポストに取り付けることができる。ゴルフバッグは、ゴルフクラブが収容される容器を画定する。図１〜２は、脚部１２が拡張された起立位置にあるバッグを示している。図３〜４は、格納位置にあるゴルフバッグの脚部１２を示している。示すように、スタンド機構１４は、少なくとも２つの脚部１２と、脚部１２を格納位置から起立位置に移動させるアクチュエータ装置とを含む。起立位置では、クラブがバッグ内に保持され、地表面までかがむことなしに、または片手でクラブをバッグから取り出しながら、他方の手でバッグを保持することなしに、使用者がクラブを出し入れするのが可能になる。起立位置では、バッグがある程度地面より上に維持されるので、ゴルファーは、ショットの合間に、地面に水平に置かれたバッグを拾い上げるためにかがむ必要がない。一例として、起立位置では、ゴルフバッグは、バッグが立っている地面などの面に対して約４５°以上の角度をなして配置される。脚部１２およびゴルフバッグの底の一部分は三脚を形成している。その結果、ゴルフバッグはそれ自体で立った状態を維持する。ゴルファーは、バッグの底の閉じた端部と合致する、完全に水平な地面を見つけるのに時間を費やす必要がない。ゴルファーは、重心がゴルフバッグの中心線上にないのを、または、ときには、クラブヘッドが、ゴルフバッグの開いた上部より上に延びるために、ゴルフバッグの上部が重くなったのを補償する必要がない。脚部１２は、ゴルフバッグ１０の上部開口端の近くに配置された回動軸から通常片持ち式に突出し、通常その回動軸から回動する。一部の実施形態では、スタンド機構１４は、バッグが自立位置に移動しない場合、脚部１２を格納された状態に維持するように脚部１２の回動を制御する。様々なゴルフバッグスタンド機構の例は、米国特許第４，８３４，２３５号明細書、同第４，９４９，８４４号明細書、同第５，１４７，０８９号明細書、同第５，１５６，３６６号明細書、同第５，１５６，３６６号明細書、同第５，３４０，６３０号明細書、同第６，０６２，３８３号明細書で見ることができ、これらの特許のすべては、参照により、任意の目的で本明細書に援用される。ただし、参照により援用される文献の任意の開示が本開示と矛盾する場合、本開示に基づき解釈がなされる。スタンド機構によっては、ゴルフバッグの底の移動可能な足部から脚部に向かって上方に延びるアクチュエータロッドがある。アクチュエータロッドは、格納位置と拡張位置との間で脚部を押し進める。構成要素間の機構および連結器は、通常、ゴルフバッグの周囲環境に対して露出しており、ゴルフバッグのまわりの部材と接触することがある。
【手続補正５】
【補正対象書類名】明細書
【補正対象項目名】００１４
【補正方法】変更
【補正の内容】
【００１４】
１つの例示的な実施形態では、バッグバナー２０は、ゴルフバッグ１０の２つの脚部１２間に延びる。バッグバナー２０は、スタンド機構１４によって画定される領域、例えば、２つの脚部１２間の領域および／または脚部とゴルフバッグとの間の領域を占める。一例では、バッグバナー２０は、バッグの容器部分から外側に延びる。バッグバナー２０は、可撓性本体２２を含むことができる。バッグバナー２０はまた、バナーをスタンド機構に固定する少なくとも１つの連結器３０を含む。一例では、複数の連結器３０が、バナー２０の縁部をゴルフバッグスタンド１４の脚部１２に連結する。連結器３０は、任意のタイプのクリップ、留め具、フックアンドループ、ボタン、または他の機械式連結器、あるいはバッグバナー２０をゴルフバッグスタンド１４の脚部１２に連結する他の装置とすることができる。連結器は、単一の機構またはクリップ、あるいは複数の機構またはクリップなどとすることができる。例示的な実施形態では、連結器３０は、バナー２０をスタンド１４の脚部１２に接着または固定する。連結器３０は、バナーをスタンドに連結する任意の機構とすることができる。連結器３０は、バナーの可撓性本体２２をゴルフバッグ１０の移動可能な脚部１２に固定する。バナー２０は、連結器３０が固定され得る可撓性本体から延びる補助タブを含むことができる。そのようなタブは、可撓性本体から横に延びることができる。タブは、一例では弾性とすることができる。一例では、連結器機構３０は、２つ以上の位置でバナー２０を脚部１２に固定する。一例では、連結器機構３０は、４つ以上の位置でバナーを脚部１２に連結する。さらなる例では、連結器３０は、バナー２０の隅部を脚部１２に固定する。
【手続補正６】
【補正対象書類名】明細書
【補正対象項目名】００１７
【補正方法】変更
【補正の内容】
【００１７】
見やすくするために、図３〜７では固定具３５が示されていない。しかし、図３〜７に示す例または他の実施形態／実施例のいずれにも固定具３５を使用することができる。これらの例では、固定具は、バナーを脚部に沿って引き延ばした状態に維持するように機能することができ、一方、バナーは、ゴルフバッグ脚部を横方向に自由に折り畳む。
【手続補正７】
【補正対象書類名】明細書
【補正対象項目名】００１８
【補正方法】変更
【補正の内容】
【００１８】
ゴルフバッグバナー２０は、少なくとも、第１の位置（例えば、図１、図２および図５〜図７の実施形態）と第２の位置（例えば、図３および図４の実施形態）との間を移動可能な可撓性本体２２を含む。可撓性本体２２は、移動可能なゴルフバッグ脚部１２（１つまたは複数）を用いて、バナー２０がスタンド機構１４の動作を妨害しないように、格納位置とバッグ起立位置との間で折り畳むことができる軽量の布を含むことができる。すなわち、スタンド機構１４は、スタンド機構１４に取り付けられたバナー２０と共に格納位置からバッグ支持位置まで移動することができる。一例では、バナー２０は、スタンド脚部１２の少なくとも１つと干渉しない。可撓性本体２２は織布とすることができる。一例では、材料はリップストップ材料とすることができる。リップストップ材料は、リップストップ補強糸を網目状パターンで織り交ぜた軽量ナイロン布地とすることができる。そのような材料は、多数の様々な色、サイズ、および厚さとすることができる。材料は、裂けが広がらないように間隔を置いて配置された、強くて粗いたて糸およびよこ糸で織られている。一例では、布は撥水性の布である。一例では、布は、ゴルファーが手を乾かす、または用具を清浄する／乾かすために使用できる、例えば、テリークロスなどの吸水性の布である。可撓性本体２２は、主要部と、脚部と共に長手方向に延びる弾性縁部とを含むことができる。弾性縁部（１つまたは複数）により、脚部がゴルフバッグを支持するためにスタンド位置に拡張された場合に、バナー２０が、脚部１２の寸法に合わせて広がることが可能になる。一例では、連結タブが弾性縁部から横に延びる。連結器３０は連結タブに固定することができる。一部の例では、バナー２０は、（基本的にバッグに対接して配置された）完全な後退と、（スタンド機構１４か、またはバッグバナーのいずれかが許す最大量までバッグから離れた）完全な拡張との間の脚部１２の位置のすべてに移動可能である。一部の例では、脚部１２は、立った位置でゴルフバッグを支持するために完全に拡張される必要はない。
【手続補正８】
【補正対象書類名】明細書
【補正対象項目名】００１９
【補正方法】変更
【補正の内容】
【００１９】
バナー２０は、多層布をさらに含むことができる。布の外側層は、撥水性（合成材料、例えば、ナイロン）とすることができ、内側層（１つまたは複数）は、吸水性の、例えば、テリークロス、または布状の他のタオルとすることができる。一例では、外側層は、フラッシュスパン（ｆｌａｓｈｓｐｕｎ）高密度ポリエチレン繊維または他の不織布合成材料で作製することができる。そのよう外側層は、非常に高強度であるが、裂けに対する耐性がある。これらの材料は通気性が高いが、耐水蒸気性または耐水性がある。一例では、外側の撥水層は、他の下層に取り外し可能に取り付けられる。可撓性本体２２は、例えば、外側に撥水層があり、撥水層の下に吸水性布がある多層構造とすることができる。その結果、外側層は、雨の中でゴルフをするときに下層を乾燥した状態に維持する。ゴルファーは下層を使用して、手またはゴルフ用品を乾かすことができる。さらに、下層は、ゴルフバッグ内の閉じたポケットに保管されないので、容易に利用することができる。一例では、層は、（図２に示す）ポケット２４を画定するように形成することができる。ポケット２４は、箱に入ったゴルフボール、３つ以上のゴルフボール、携帯用ビデオプレイヤー、または携帯用音楽プレイヤーを密着して保持するように小さくすることができる。ポケットは、上部および底層の中ほどに配置されるように中型とすることができる。ポケット２４は、基本的にバナーの大きさ全体に亘る大型ポケットとすることができる。ポケット２４は、毛皮を裏当てするか、または軟らかい布地、例えば、テリークロスまたは綿を裏当てすることができ、ゴルフバッグを搬送中にポケットの中身がたてる騒音を低減することができる。さらに、バナー２０を折り畳むことで、ポケットの中身が騒音をたてるのを防止するようにさらに機能することができ、一方で、ゴルフバッグがスタンド位置にある場合に、中身を容易に出し入れすることが可能である。
【手続補正９】
【補正対象書類名】明細書
【補正対象項目名】００２０
【補正方法】変更
【補正の内容】
【００２０】
バナー２０は、様々な改造および付属品２３（図１）を含むことができる。改造および付属品２３の例には、ポケット２４（図２）、連結コード４１（図５）、バッグ４４（図６）および／または実用装置があり得る。図６は、バッグバナー２０の例示的な実施形態を有するゴルフバッグを示しており、バッグバナーは、物体を連結する実用コードと、バナーに取り付けられた特大のポケットまたは第２のバッグ４４とを含む。
【手続補正１０】
【補正対象書類名】明細書
【補正対象項目名】００３０
【補正方法】変更
【補正の内容】
【００３０】
図７を再度参照すると、図７は画像４１を含むバナーを示している。バナー２０の面は任意の所望する色とすることができる。バナー２０は、需要者が望むとおりにカスタム印刷するのに適した白紙の面を有することもできる。バナー２０は、様々なメッセージ、表号、および／または広告を表示することができる。例えば、ゴルフ製品の会社名などの会社名またはロゴをバナー２０に刷ることができる。表示には、テキスト、画像４１、後援者識別表示、ゴルファー識別表示、チームロゴを含む商標、修正した運動用ジャージなどがあり得る。示した例では、画像には、チームロゴ、プレイヤーの名前、およびプレイヤー番号と共に示されるフットボールジャージのようなものが含まれる。画像４１は、ＮＡＳＣＡＲ画像ならびに／またはレーシングチームおよびドライバのトレードドレスを示すこともできる。布に刷ることができる他の表号４１の任意の組み合わせをバナーで使用することができる。一部の実施形態では、バナー２０は、可撓性本体２２に白紙の面を有することができる。印刷以外の技術、例えば、染色、昇華法、製織などを使用して、表号または他の画像を配置することも本開示の範囲内である。
【手続補正１１】
【補正対象書類名】明細書
【補正対象項目名】００３３
【補正方法】変更
【補正の内容】
【００３３】
一部の実施形態では、可撓性本体２２は、可撓性本体の１つまたは複数の縁取りに沿ったマジックテープ材料を含むことができる。マジックテープは、連結器機構３０として機能する。一例では、マジックテープは、バッグバナー２０の可撓性本体２２の縁部部分にある。マジックテープ材料は、製品名ＶＥＬＣＲＯ（商標）でＤｕｔｃｈ  Ａｎｔｉｌｌｅｓに所在のＶｅｌｃｒｏ  Ｉｎｃ．から入手可能である。マジックテープ材料は、ゴルフバッグ１０の脚部１２を可撓性本体２２の一部分内で固定するように、可撓性本体２２の一部分を可撓性本体２２の第２の部分に結合することができる。一例では、マジックテープ材料のフック部分およびループ部分は、可撓性本体２２の同じ部分にあるので、可撓性本体の縁部または縁部の一部は脚部に巻き付けられて、マジックテープ材料の他方と整列および接触する。マジックテープの裏側は、マジックテープをゴルフバッグの脚部上で垂直方向に固定する固定具３５として機能する接着剤を含むことができる。一例では、マジックテープの一方の部分はバナー２０にある。マジックテープの他方の部分は脚部１２に配置される。
【手続補正１２】
【補正対象書類名】明細書
【補正対象項目名】００３５
【補正方法】変更
【補正の内容】
【００３５】
図８は、バッグバナー２０をゴルフバッグスタンドの脚部１２に連結する連結器機構３０として使用することができるスロット付きストラップ１００を示している。図９は、図８のスロット付きストラップ１００の反対側を示し、ストラップを閉じた状態で固定できる固定突起を示している。図１０は、ゴルフバッグスタンドの脚部１２を囲んで固定された図８のスロット付きストラップと、スロット付きストラップのスロットを通った固定用ポストの１つとを示している。図８〜１０は、連結器機構３０をストラップ１００として示している。ストラップ１００は、それ自体固定具として機能することができ、固定具は、ストラップ１００が脚部１２上をスライドするのを防止するように、脚部に摩擦嵌合するほど、または脚部に十分な圧力を作用させるほどきつく引っ張ることができる。ストラップは、バナー２０の可撓性本体２２に縫い付けることができる。さらなる例では、ストラップ１００は、本体２２の貫通開孔を通って受け入れられる。一例では、ストラップは、バナー２０の縁取り縁部を貫通して受け入れられる。一例では、ストラップ１００は、バナー２０自体を貫通して受け入れられる。ストラップ１００は細長くなっており、第１の角度が付いた、または先のとがった端部１０１を含む。第１の端部１０１は平らであってもよい。第２の端部は、第１の端部１０１を受け入れる大きさとされたスロット１０２を含む。図８に示すストラップ１００の面は、ゴルフバッグ脚部の外側面と接触するように構成されている。一例では、ストラップ１００は、バナー２０を脚部１２に固定するために、十分な力で脚部１２を把持するゴム材料を含む。ストラップ１００は、バナー２０をスタンド機構、例えば、脚部１２に固定するのに必要とされる程度の力を発揮する。一例では、ストラップ１００は、少なくとも２ポンドの力を脚部１２に作用させる。ストラップ１００は、バナー２０を脚部１２に固定するために、ゴルフバッグスタンド１４の脚部１２に巻き付けることができる。一例では、ストラップは、約２．５インチ±０．５インチの長さである。ストラップは、約３／４インチ±１／４インチの高さを有することができる。ストラップは、１ｍｍ以上の厚さを有することができる。スロット１０２は、スロットを通るストラップ１００の高さおよび幅を受け入れる大きさとされる。ストラップ１００の他方の面が図９に示されている。固定用ポスト（１つまたは複数）１０４が、第１のストラップ端部に隣接して配置されている。これらのポスト１０４は、ストラップの面から外側に延びている。一例では、ポストはストラップの第１の端部よりも５倍広い。ストラップ１００は、図１０においてゴルフバッグ脚部１２に固定されている。第１の端部１０１は、脚部１２を囲み、スロット１０２を通って延びている。第１の端部は、ポスト１０４がスロット１０２から引き出される長さまで、スロット１０２に通して引っ張られる。ポスト１０４は、ストラップがポスト１２を解放するのを防止するストッパとして機能する。具体的には、ポストは、大きな力が加わらなければ、スロットを通って逆戻りすることができない。
【手続補正１３】
【補正対象書類名】明細書
【補正対象項目名】００３６
【補正方法】変更
【補正の内容】
【００３６】
図１１は、バッグバナー２０をゴルフバッグスタンドの脚部１２に連結する連結器機構として使用できる、ロッドを有するスロット付きストラップ１００Ａを示している。図１２は、ゴルフバッグスタンドの脚部１２を囲んで固定された図１１のスロット付きストラップを示し、スロット付きストラップのスロットを通ったスロット付きストラップ１００Ａのロッドを示している。図１１〜１２は、ストラップ１００Ａのさらなる実施形態を示している。ストラップ１００Ａは、本明細書で説明したストラップ１００Ａと似ているが、図８に示すように、とがっていない第１の端部１０１の先端にポスト１１０がある。ポスト１１０は、ストラップの残部よりも高くて幅が広い。一例では、ポスト１１０は、ストラップの残部または残りの部分よりも硬いデュロメータゴムを有する。一例では、ポストは、射出成形されたプラスチックである。ポスト１１０は、ストラップをゴルフバッグ脚部１２に固定するために、スロット１０２に押し通される（図１２を参照のこと）。
【手続補正１４】
【補正対象書類名】明細書
【補正対象項目名】００４０
【補正方法】変更
【補正の内容】
【００４０】
図１５は、バッグバナー２０をゴルフバッグスタンドの脚部１２に取り付ける連結器機構として使用できる包囲装置を示している。図１６および図１７は、バッグバナー２０をゴルフバッグスタンドの脚部１２に取り付ける連結器機構として使用することができる結束ケーブル１５０を示している。図１５〜１７は、少なくとも１つの面に歯１５２を含む細長い本体１５１を有する結束具１５０を示している。本体１５１の一端は、ラチェットケース１５６とラチェットケース内のラチェット１５７とを有するラチェット１５５を含む。一例では、歯の反対側にある本体の面１５８は、ゴルフバッグ脚部１２と係合するように構成されている。面１５８は、脚部１２に作用する結束具の把持力を向上させる層を含むことができる。一例では、層１５８は、ゴム裏当てまたはエラストマー裏当てであり、結束具１５０が締め付けられ、それにより、取り付けられる脚部１２を把持するときに撓む。一例では、層１５８は熱可塑性ゴムとすることができる。他の接着剤材料は層１５８の一部とすることができる。結束具１５０は、それ自体固定具として機能することができ、結束具は、結束具１５０、ひいてはバナーが脚部１２上をスライドするのを防止するように、脚部に摩擦嵌合するほど、または脚部に十分な圧力を作用させるほどきつく引っ張ることができる。
【手続補正１５】
【補正対象書類名】明細書
【補正対象項目名】００４２
【補正方法】変更
【補正の内容】
【００４２】
一部の実施形態では、連結器機構３０は、可撓性本体２２の外側縁部から形成された管状体とすることができる。可撓性本体が縫合可能な材料で形成される場合、管状体は、材料の縁部に縁かがりし、折った縁部から離れたところで縁部を縫合することで形成される。一部の実施形態では、連結器機構３０は、ゴルフバッグ１０の移動可能な脚部１２を受け入れるのに適した可撓性本体２２に取り付けられた管状体とすることができる。固定手段は、バナーを脚部に沿った所定の位置に保持する、管状体の長さの一部に沿った摩擦嵌めとすることができる。固定具にはまた、閉じた底が、管状体がゴルフバッグの脚部を上がっていくのを防止するように機能する、閉じた管状体を含み得る。一部の実施形態では、連結器機構３０は、バッグバナー２０をゴルフバッグスタンド１４の脚部１２に固定するのに使用できるパラシュートクリップおよびストラップを含む。クリップは取り外し可能であるが、バナーを脚部に保持する十分な閉止力を有する。一例では、そのようなクリップは、強力ヘアクリップタイプの装置と同様である。クリップおよび／またはストラップは、それぞれのクリップまたはストラップをゴルフバッグのスタンド機構の脚部上の所定の位置に保つ、本明細書で説明した固定具を含むことができる。別の例では、クリップおよび／またはストラップは、スタンド機構の脚部にある固定具と相互作用する。
【手続補正１６】
【補正対象書類名】明細書
【補正対象項目名】００４４
【補正方法】変更
【補正の内容】
【００４４】
連結器機構３０として様々な機構を使用することができる。連結器機構３０としてマグネットを使用することができる。連結器機構３０としてランヤードを使用することができる。連結器機構３０として格納式ランヤードを使用することができる。連結器機構３０としてナイロンなどの合成ロープを使用することができる。連結器機構３０としてひもまたは撚り糸を使用することができる。連結器機構３０としてカラビナ（ｃａｒａｂｉｎｅｒ）を使用することができる。連結器機構３０としてレザーストラップを使用することができる。連結器機構としてプラスチックまたはゴム製のコイルを使用することができる。連結器機構として分割リングを使用することができる。連結機構として金属製のロープまたはひもを使用することができる。連結器機構３０としてグロメットおよび所定の長さの材料を使用することができる。連結器機構としてマジックテープを使用することができる。連結器機構３０としてステープルを使用することができる。連結器機構３０としてテープを使用することができる。連結機構３０として、膠、ゴムのり、または他の接着剤などの結合剤を使用することができる。連結器機構としてジッパーを使用することができる。連結器機構としてパラシュートクリップを使用することができる。連結器機構として結束ケーブルを使用することができる。連結器機構３０としてゴムバンドまたは弾性バンドを使用することができる。連結器機構として合成材料または天然材料でできたストラップを使用することができる。連結器機構として弾性コードを使用することができる。連結器機構３０としてボタン穴および所定の長さの材料を使用することができる。連結器機構３０としてループおよびボタン穴機構（ｌｏｏｐ  ａｎｄ  ｂｕｔｔｏｎ  ｈｏｌｅ  ｍｅｃｈａｎｉｓｍ）を使用することができる。連結器機構としてループおよび金物（ｌｏｏｐ  ａｎｄ  ｈａｒｄｗａｒｅ）を使用することができる。連結器機構３０としてプラスチックまたは金属製のクランプなどのクランプを使用することができる。連結器機構としてナットおよびボルトを使用することができる。また、連結器機構３０として可撓性の固定用フックなどのフックを使用することができる。連結器機構は、スタンド機構１４、例えば、脚部１２に取り付けることができる。スタンド機構１４またはゴルフバッグ１０のメーカーは、販売前に、バナー２０をゴルフバッグ１０に取り付けることができる。バナー２０はまた、アフターマーケットでのゴルフバッグ１０への追加物とすることもできる。
【手続補正１７】
【補正対象書類名】明細書
【補正対象項目名】００４５
【補正方法】変更
【補正の内容】
【００４５】
連結器機構３０は、スロット付きストラップ１００とすることができる。図８は、適切なスロット付きストラップ１００を示している。ストラップはゴムとすることができる。一実施形態では、スロット付きストラップ１００は、幅が約０．７５〜約２．５インチ、厚さが約１〜４ｍｍである。ストラップ１００は、固定用ポスト１０４（図９）を含むことができ、固定用ポスト１０４がスロット付きストラップ１００のスロット１０２に挿入されると、固定用ポストはストラップを所定の位置にロックする。スロット付きストラップ１００の材料、例えば、ゴムは、ゴルフバッグスタンド１４の移動可能な脚部１２の上または下に容易にスライドしない面を有することができる。図１０は、ゴルフバッグの脚部１２を囲んで固定されたスロット付きストラップ１００を示している。ストラップは、可撓性本体２２を移動可能な脚部１２に固定するために、可撓性本体２２のスロットまたは開口を通ってループを形成することができる。
【手続補正１８】
【補正対象書類名】明細書
【補正対象項目名】００４６
【補正方法】変更
【補正の内容】
【００４６】
別の実施形態では、連結器機構３０は、ロッドが取り付けられたスロット付きストラップ５０とすることができる。スロット付きストラップ１００と同様の態様で、ロッドが取り付けられたスロット付きストラップ１００Ａは、可撓性本体２２を移動可能な脚部１２に固定するために、可撓性本体２２のスロットまたは開口を通ってループを形成することができる。
【手続補正１９】
【補正対象書類名】明細書
【補正対象項目名】００６０
【補正方法】変更
【補正の内容】
【００６０】
図１８Ａは、バナー２０が取り付けられたゴルフバッグ１０の例を示している。図１８Ｂは、バナー２０の正面図を示している。バナー２０は、バナーの上部から外側に延びるカラー８０１を含む。一例では、カラーは、バナー２０の上部に隣接する。カラー８０１は、ゴルフバッグの上部を囲むように伸び、バナー２０の上部部分をバッグに固定している。一例では、カラーは、２つの片持ちアーム８０３、８０４を含み、片持ちアーム８０３、８０４は、ゴルフバッグ１０を囲んで配置され、ゴルフバッグ１０に取り付けられた場合に、少なくとも部分的に互いに重なり合うことができる。アーム８０３、８０４は、ゴルフバッグの上部部分に取り付けることができるマジックテープの一部をそれぞれ含むことができる。マジックテープの第１の部分は、アーム８０３、８０４の一方に取り付けられ、マジックテープの他の部分は、アーム８０３、８０４の他方に取り付けられる。他のファスナをアーム８０３、８０４で使用して、ゴルフバッグに連結することができる。カラー８０１は密着して嵌合するので、バナー２０は、垂直方向および横方向に所定の位置に固定される。さらなる連結器８１１、８１２がバナーの底にあり、それぞれゴルフバッグの左脚部１２および右脚部１２に取り付いている。さらなる連結器８１３、８１４をバナー２０の両側部に設けることができる。連結器８１３、８１４は、カラー８０１と下側連結器８１１、８１２との中間にある。中間連結器８１３、８１４は、それぞれゴルフバッグの左脚部１２および右脚部１２に取り付いている。連結器８１３、８１４は、バナーのポケットと整列することができる。一例として、連結器８１３、８１４は、（図２に示すポケット２４などの）ポケットの開口と整列する。一例では、連結器８１３、８１４は、バナー上のマグネットまたは付属品取付具と同じ高さにある。少なくとも、下側連結器８１１、８１２、および必要に応じて中間連結器８１３、８１４は、バナーが使用中にバッグまたはスタンド機構１４の上または下にスライドしないように、バナー２０をゴルフバッグの所定の位置、例えば、スタンド機構に保持および固定する。カラー８０１は、バナーが垂直方向下方にスライドするのを防止する固定具構造体の一部として機能することができる。しかしながら、バナー２０がゴルフバッグ脚部上を上方にスライドするのを防止するために、さらなる固定具構造体、例えば、固定具３５が設けられている。
【手続補正２０】
【補正対象書類名】明細書
【補正対象項目名】００６１
【補正方法】変更
【補正の内容】
【００６１】
図１８Ｂは、バナー２０の各側部から延びるタブ８５０を示している。タブ８５０は、バナー２０の主要部から外側に延びている。タブ８５０は細長くなっており、バナー２０の側部に対して概ね横方向または垂直方向に延びることができる。連結器はタブ８５０に取り付けられて、バナーをゴルフバナーの脚部に固定することができる。示すように、タブ８５０はバナー２０の各隅部にきわめて近接して配置されている。当然ながら、バナー２０をゴルフバッグの脚部２０に取り付けるために、さらなるタブを設けることができる。タブはまた、図１〜７、図１９Ａ〜１９Ｃ、図２４、図２９、図３０Ａ〜３０Ｆ、図３１Ａ〜３１Ｆ、図３２〜４０、および図４１Ｃのいずれかで説明されるバナー上にも配置することができる。
【手続補正２１】
【補正対象書類名】明細書
【補正対象項目名】００６２
【補正方法】変更
【補正の内容】
【００６２】
図１９Ａは、バナー２０が取り付けられたゴルフバッグ１０の例の斜視図を示している。図１９Ｂは、バナー２０の正面図を示している。図１９Ｃは、ゴルフバッグから外したバナー２０を示している。バナー２０は、図１８Ａおよび図１８Ｂに示すバナーと類似しているが、上部連結器が異なっている。上部連結器はクランプアセンブリ９０１を含む。クランプアセンブリ９０１は、複数のクリップとして示す少なくとも１つのクランプ９０２を含むことができる。クリップ９０２は、バナー２０の上部に隣接して固定される部分と、バナーから片持ち式に突出し、折り重なった部分９１０とを含む。片持ち部分９１０は、ゴルフバッグの上縁部のまわりのゴルフバッグの内部空間に延びて、バナーの上部をゴルフバッグに固定する。一例では、クリップ９０２は、バッグ内のゴルフクラブを損傷しない、または傷つけないように保護コーティングを含む。クリップ９０２は、スプリング材料でできており、クリップ９０２が開いて、バッグ１０の上部開口の上縁部をクリップ９０２が通り越すのを可能し、また、定位置にあるときに、クリップ９０２が、片持ち部分９１０とベース部との間のバッグ１０の上縁部にスプリング力を加えるように寸法を決められる。複数のクリップ９０２を使用することで、バナーの各側部がバッグの長さに沿って垂直方向に所定の位置に保持され、スタンド機構が、拡張位置か、または格納位置のいずれかにあるときに、片側が垂れるが防止される。このように、クリップは固定具の一部とすることができ、バナーの側部が脚部上を下方にスライドするのを防止する。
【手続補正２２】
【補正対象書類名】明細書
【補正対象項目名】００６７
【補正方法】変更
【補正の内容】
【００６７】
さらなる例では、バナー２０は、スタンド脚部１２間に広がり、バナーの一部はバッグに向かって後方に広がる。バナー２０は、少なくとも３つのパネルを有するティピー状の構造を形成することができる。１つのパネルは、バッグからスタンド脚部の１つまでの面に広がる。第２のパネルは脚部間に広がる。第３のパネルは脚部からバッグに向かって後方に広がる。第１のパネルおよび第３のパネルは、基本的に、バッグとそれぞれのスタンド脚部との間のそれぞれの領域全体に広がることができる。第２のパネルは、基本的に、脚部間の領域全体に広がることができる。固定具は、バッグに取り付けられた場合に、脚部およびゴルフバッグ上でバナーをその直立した状態に保持するように働く。固定具は、バンド、弾性材、ストラップ、スナップ、または拡張位置および格納位置の両方でバナー２０をその直立した状態に保持する他の留め具とすることができる。
【手続補正２３】
【補正対象書類名】明細書
【補正対象項目名】００７２
【補正方法】変更
【補正の内容】
【００７２】
図２４は、さらに別の例示的な実施形態による、ゴルフバッグのスタンド機構１４の脚部１２に取り付けられたバナー２４２０の斜視図を示している。図２５は、ゴルフバッグ１０の上部に取り付けられたバナー２４２０の斜視図を示している。バナー２４２０には、付属品としてゴルフタオル２４９０が付いている。図２５に示すように、バナー２４２０は、防水性または耐水性の布でできている。バナー２４２０は、バッグ１０に最も近いバナー２４２０の面２４２１に取り付けられたマジックテープの第１の部分を含む。ゴルフタオル２４９０は、マジックテープの第２の部分を含む。その結果、ゴルフタオル２４９０は、悪天候からタオルを保護すること、または単にタオル２４９０を隠すことを含む任意の目的で面２４２１に取り外し可能に取り付けることができる。一部の実施形態において、バナー２４２０の他方の面２４２２も同様に、タオル２４９０をバナー２４２０の外側面２４２２に取り付けることができるように、マジックテープの第１の部分であるストリップを設けられる。カラー２４３０は、バナー２４２０の上縁部２４２４に取り付けられている。カラー２４３０は、図２４に示すように、第１の端部２４３１および第２の端部部分２４３２を含む。カラー２４３０の第１の端部２４３１は、マジックテープの第１の部分２４４１を含み、カラー２４３０の第２の端部２４３２は、マジックテープの第２の部分２４４２を含む。その結果、カラー２４３０は、バッグの上部に対応する様々な周囲長さを有する任意のバッグに取り付けることができる。図２５に示すように、ゴルフタオル２４９０を取り外し可能に取り付けることができるように大きさを決められたマジックテープの別の第１の部分が、カラー２４３０の外側面に取り付けられている。一部の実施形態では、カラー２４３０には、ゴルファーがゴルフタオル２４９０を取り付ける位置を選択できるように、別の外側位置に配置された、マジックテープのさらに別の部分が設けられる。例えば、ゴルファーは、ゴルフバッグ１０の上部に近いカラー２４３０の右側位置と左側位置との間で、またはバナー２４２０の面２４２１もしくは面２４２２上の位置を選択することができる。カラー２４３０は、スタンド機構にある場合に、バナーを細長い直立した状態に保持する固定具構造体の一部とすることができる。
【手続補正２４】
【補正対象書類名】明細書
【補正対象項目名】００７３
【補正方法】変更
【補正の内容】
【００７３】
バナー２４２０はまた、第１の縁部２４２４に沿って、およびバナーの第２の縁部２４２６に沿ってロッドまたはだぼ２４５０を含むことができる。ロッド２４５０は図２４に示されている。バナーの第１の縁部２４２４は、ロッドまたはだぼ２４５０を受け入れるような大きさの細長いポケット２４６０を含む。細長いポケット２４６０は、少なくとも１つの連結器開口２４６２を含む。図２４に示すように、細長いポケットに２つの連結器開口２４６２、２４６１がある。ロッドが、バナー２４２０の第１の縁部２４２４の近くの細長いポケット２４６０に配置されると、ロッド２４５０の一部分は連結開口２４６１、２４６２で露出する。なお、バナー２４２０の第２の縁部２４２６も、連結開口を備えた別の細長いポケットを含む。第２のロッド（図示せず）は、第２の縁部２４２６で第２の細長いポケットに配置される。バナー２４２０は、次の段落で詳述される連結器２７００を使用して、ゴルフバッグ１０のスタンド装置１４の脚部１２に連結されている。
【手続補正２５】
【補正対象書類名】明細書
【補正対象項目名】００７４
【補正方法】変更
【補正の内容】
【００７４】
図２６は、例示的な実施形態によるコネクタ２７００の平面図である。連結器２７００は、ロッド連結部分２７５０および脚部連結部分２７１２を含む。示した実施形態では、ロッド連結部分２７５０は、脚部連結部分２７１２よりも小さい直径を有する。ロッド連結部分２７５０の内径は、（図２４に示す）ロッド２４５０の外径とほぼ等しくなっている。脚部連結部分２７１２の内径は、（図２４に示す）脚部１２の外径とほぼ等しくなっている。連結器２７００はまた、連結器２７００の周縁に開口２７１０を含む。開口２７１０は、スリットまたはスロットと称することができる。連結器は、開口２７１０の１つの縁部に沿った第１の外側折り返し縁部２７１１と、開口２７１０の１つの縁部に沿った第２の外側折り返し縁部２７１３とを含む。連結器２７００は、バナー２４２０をバッグスタンド機構１４に連結する場合に、ロッド２４５０および脚部１２の両方を保持するような大きさとされる。連結器２７００は、連結器２７００を使用するときに、弾性範囲内で変形可能な任意の材料で作製することができる。例えば、連結器２７００は、ばね鋼材料またはポリマー材料で作製することができる。ばね鋼製の場合、連結器２７００は、脚部１２の表面などの他の表面を傷つける可能性を最小限にするように、プラスチック材料でコーティングされる。プラスチックコーティングは、連結器２７００をプラスチック浸液に浸すことで塗布することができる。ディッピングされた連結器２７００は、外観がより魅力的になり得る。
【手続補正２６】
【補正対象書類名】明細書
【補正対象項目名】００７５
【補正方法】変更
【補正の内容】
【００７５】
操作時、バナー２４００を脚部１２に連結することには、ロッド２４５０を第１の細長いポケット２４６０および第２の細長いポケット２４６４に配置することが含まれる。簡潔にするために、ここでは１つのロッドの配置だけを詳述する。ロッド２４５０が補強された縫合部２４６６に当たるまで、ロッド２４５０をポケット２４６０に挿入する。この状態で、ロッド２４６０の一部が、連結開口２４６１、２４６２で露出する。次いで、連結器２７００をロッド２４５０に配置する。ロッド２４５０は、開口２７１０を通り、脚部連結部２７１２を通り、ロッド連結部２７５０に入る。連結器２７００は、開口２７１０を通過され、ロッド連結部２７５０と脚部連結部２７１２との間の移行領域２７３０を通過されるときに、弾性的に撓むことができる。その結果、連結器２７００は、バナー２４２０のポケット２４６０の連結開口２４６１などの連結開口でロッド２４５０に取り付けられる。次いで、脚部１２を開口２７１０に通す。タブまたは外側折り返し縁部２７１１、２７１３は、開口２７１０の縁部が脚部１２の材料に突き刺さるのを防止する。なお、ロッドまたはだぼ２４５０は、ポケット２４６０から取り外し可能であるので、バナー２４２０上に表示物を印刷する、または配置することを含む作業中に、バナー２４２０を容易に平らにすることができる。ロッド２４５０はまた、ロッド２４５０の交換を容易にするために取り外すことができる。なお、他方の脚部１２の近くのバナー２４２０の縁部に沿ったポケットに別のロッドが配置される。他方のロッド２４５０は、連結器２７００を使用して他方の脚部１２に同様に取り付けられる。
【手続補正２７】
【補正対象書類名】明細書
【補正対象項目名】００７６
【補正方法】変更
【補正の内容】
【００７６】
図２７は、別の実施形態による、脚部２８１２に取り付けられたバナー２８２０の断面図を示している。図２８は、別の例示的な実施形態による、スロット２８１０を有する脚部２８１２の側面図を示している。バナー２８２０は、例えば、バナー２８２０の縁部を縁縫いすることで作製される細長いポケット２８６０を含む。細長いポケット２８６０はロッド２４５０を受け入れる。脚部２８１２は細長いスロット２８１０を含む。ポケット２８６０内のロッド２４５０は、細長いスロット２８１０の幅よりも大きい寸法を有する。ロッド２４５０およびポケットは脚部２８１２の底に配置され、バナー２８２０の底がスロット２８１０内に入るまで、脚部２８１２を上方に移動する。次いで、端部キャップ２９１０が脚部２８１２の端部に配置されて、バナー２８２０用のストッパとなり、脚部の底が変形して、スロット２８１０の幅をより広くするのを防止する。端部キャップ２９１０はまた、脚部２８１２を補強する。
【手続補正２８】
【補正対象書類名】明細書
【補正対象項目名】００７８
【補正方法】変更
【補正の内容】
【００７８】
図３０Ａ、図３０Ｂ、図３０Ｃ、図３０Ｄ、図３０Ｅ、および図３０Ｆは、例示的な実施形態による、ゴルフバッグ（図示せず）の第１の脚部と第２の脚部との間に配置されたバナーの様々な部分図を示している。図３０Ａ〜３０Ｆは、ほとんどすべての形状および大きさのバナーがあり得ると考えられることを示している。なお、図３０Ａ〜３０Ｆは、考えられる様々なバナーを余すところなく示しているのではなくて、単に代表的なサンプルを示しているに過ぎない。図３０Ａ〜３０Ｆに示す様々なバナーのすべてから分かるように、バナーは、脚部３０１２、３０１４間の全空間を占有する必要はない。具体的には、図３０Ａは、脚部３０１２、３０１４間に取り付けられたバナー３０２０が、脚部３０１２、３０１４の高さの約７５パーセントである高さを有する一実施形態を示している。バナー３０２０の高さは、所望する任意の高さとすることができる。図３０Ｂに示すように、脚部３０１２、３０１４間に取り付けられたバナー３０２０’は、脚部３０１２、３０１４の長さの半分未満である高さを有する。図３０Ｃは、２つ以上のバナー３０２０’、３０２２が脚部３０１２、３０１４に取り付けられたバナー構成を示している。他のバナーは台形形状でなくてもよい。例えば、図３０Ｄに示すように、バナー３０４０は三角形形状とされている。他のバナーは、一方の縁部の近くに三角形の切欠きを含む図３０Ｅに示すバナーのように切欠きを含むことができる。海兵隊旗および特定の国に関連する旗などの特定の旗は同様な形状を有する。なお、バナーは台形形状でなくてもよい。一部のバッグは、脚部３０１２、３０１４が互いに対してほぼ平行である位置に展開するバッグスタンド機構を有することができる。この場合に、バナー３０３０は、形状が長方形になる。もちろん、脚部間の長方形の空間に対して、バナー３０３０の形状を様々に変形させることができる。
【手続補正２９】
【補正対象書類名】明細書
【補正対象項目名】００７９
【補正方法】変更
【補正の内容】
【００７９】
図３１Ａ、図３１Ｂ、図３１Ｃ、図３１Ｄ、図３１Ｅ、および図３１Ｆは、例示的な実施形態による、ゴルフバッグスタンド（図示せず）の１つの脚部とゴルフバッグ３１１０との間に配置されたバナーの様々な部分図を示している。図３１Ａ〜３１Ｆは、ほとんどすべての形状および大きさのバナーがあり得ると考えられることを示している。なお、図３１Ａ〜３１Ｆは、考えられる様々なバナーを余すところなく示しているのではなくて、単に代表的なサンプルを示しているに過ぎない。図３１Ａ〜３１Ｆに示す様々なバナーのすべてから分かるように、バナーは、脚部３１１２とゴルフバッグ３１１０との間の全空間を占有する必要はない。具体的には、図３１Ａは、脚部３１１２とバッグ３１１０との間に取り付けられたバナー３１２０が、脚部３１１２の高さの約７５パーセントである高さを有し、脚部３１１２とバッグ３１１０との間の空間の大部分に広がる一実施形態を示している。バナー３１２０の高さは、所望する任意の高さとすることができる。図３１Ｂに示すように、脚部３１１２とバッグ３１１０との間に取り付けられたバナー３１２０’は、脚部３１１２の長さの半分未満である高さを有する。そのようなバナー３１２０’は、脚部の長さに沿って所望する任意の高さに配置することができる。バナー３１２０’はまた、バッグ３１１０が起立した状態にある場合に、地面に対して実質的に平行である必要はない。図３１Ｃは、１つを超えるバナー３１２０’、３１２２が脚部３１１２およびバッグ３１１０に取り付けられたバナー構成を示している。他のバナーは他の形状を有してよい。例えば、図３１Ｄに示すように、バナー３１４０は三角形形状とされている。他のバナーは、一方の縁部の近くに三角形の切欠きを含む図３１Ｆに示すバナーのように切欠きを含むことができる。図３１Ｅは半円形の切欠きを特徴とする。様々な形状があり得ると考えられ、しかも、バッグ３１１０の近くに様々なパターンを形成するように組み合わせることさえできる。なお、バッグ３１１０の一方の側が図３１Ａ〜３１Ｆに示されており、他方の側もバナーを含むことができる。一部の実施形態では、バナーは各側で対称であるが、他の応用例では、バッグ３１１０の各側の扱いは非対称とすることができる。
【手続補正３０】
【補正対象書類名】明細書
【補正対象項目名】００８０
【補正方法】変更
【補正の内容】
【００８０】
図２９は、例示的な実施形態による、取り外し可能なポケット３２３０が設けられたバナー３２２０の実施形態を示している。取り外し可能なポケット３２３０は取り外すことができるので、バナーに印刷する場合などの様々な機会で実質的に平坦な面を得ることができる。バナー３２２０はまた、バナー３２２０の裏側に取り外し可能なポケット３２４２を含む。隠れ線は、図２９にない。そのようなポケットは、格納機構３２３０などの所望する任意の物品を保持することができる。格納機構３２３０は、端部に連結器３２３４が取り付けられた線材３２３２を含む。連結器３２３４を使用して、ブラシ、クリート清浄ツールなどの所望する任意の物品を取り付けることができる。線材３２３２および連結器３２３４はランヤードとも呼ばれる。一部の実施形態では、ランヤードは、固定式とすることができ、ブラシまたは他のツールを付けられる。取り外し可能なポケットに配置する場合、連結器３２３４は取り外すことができ、その結果、線材は、バナー３２２０の開口を通り抜けることができるので、容易に交換したり、またはバナー３２２０に印刷するために取り外したりできる。ポケットまたはポーチは、バナー３２２０の前面または後面に配置することができる。
【手続補正３１】
【補正対象書類名】明細書
【補正対象項目名】００８２
【補正方法】変更
【補正の内容】
【００８２】
図３２は、例示的な実施形態による、ソーラパネル３３３０が設けられたバナー３３２０の実施形態を示している。図３３は、例示的な実施形態による、ソーラパネル３３３０が設けられたバッグ側部バナー３４２０の実施形態を示している。一実施形態では、バナーの前部はソーラパネルを含む。ソーラパネルは、バナー３３２０に取り外し可能に取り付けられてよいし、またはバナー３３２０に恒久的に取り付けられてもよい。ソーラパネル３３３０は、所定の形状または大きさとすることができる。ソーラパネル３３３０は、脚部間にあるバナー３３２０か、または脚部とゴルフバッグ（図示せず）の側面との間に取り付けられるように構成されたバナー３４２０に取り付けることができる。ソーラパネル３３３０を使用して、ラジオ、ゲームシステム、ステレオ、携帯電話、全地球測位システムなどの位置検知装置、または同様のものを含む様々な電気装置に電力を供給することができる。一部の実施形態では、ソーラパネルは、バナーに縫い付けることができる。他の実施形態では、剛性縁部を有するポケットは、ソーラパネルを所定の位置に保持することができる。さらに別の実施形態では、ポケットには、日光が透過できる透明窓を設けることができる。後で使用するために、ソーラパネル３３３０を使用して、携帯電話などの装置を充電することができる。ソーラパネルを使用して、ゴルフバッグまたはバナーに搭載できる電子装置または電灯に電力を供給することもできる。
【手続補正３２】
【補正対象書類名】明細書
【補正対象項目名】００８５
【補正方法】変更
【補正の内容】
【００８５】
図３４は、例示的な実施形態による、ただ１つの脚部を有する機械式スタンドおよびバナー３５２０の実施形態を示している。他のスタンド機構にも、バナーを設けることができる。図３４に示すように、バッグ３５１０には、単一脚部のスタンド機構３５４０が設けられている。１つまたは２つのバナーを単一脚部と、バッグまたはバッグ３５１０に近い位置とに取り付けることができる。三角バナー３５２０は、脚部３５１２および横脚部３５１３、３５１４に取り付けることもできる。バナーは、バッグ３５１０に付属するバッグスタンド装置３５４０の任意の変形形態に適合することができる。
【手続補正３３】
【補正対象書類名】明細書
【補正対象項目名】００８６
【補正方法】変更
【補正の内容】
【００８６】
図３５は、側部バナー３６２０をバッグ３６１０に連結するシステムを示している。システムは、上部カラー３６３０および底カラー３６４０を含む。上部カラー３６３０は、バッグ３６１０の上部を囲んで密着する大きさとされる。底カラー３６４０は、バッグ３６１０の底を囲んで密着する大きさとされる。上部カラー３６３０および底カラー３６４０は、弾性材料で作製されてよいし、またはカラーをバッグ３６１０の上部および底に調整可能に取り付けることができるように、マジックテープの様々な部分を備えた第１の端部および第２の端部を有してもよい。上部カラー３６３０には、ロッド３６５０の一端を受け入れる小幅のポケット３６３２を設けることができ、底カラー３６４０にも、ロッドの他端を受け入れる小幅のポケット３６４２を含むことができる。バナーには、ロッド３６５０を保持する細長い小幅のポケット３６２２をバッグ３６１０に最も近い縁部に沿って形成する縁縫いを設けることができる。ポケット３６３２及び３６４２は、図３５に示されていない。他の実施形態では、ポケットは、側部バナー３６２０などの側部バナーをバッグ３６１０の左側または右側に保持できるように設けることができる。さらに別の実施形態では、複数の細い開口が、底カラー３６４０の各側部および上部カラー３６３０の各側部に設けられる。これは、ロッド端部を受け入れるいくつかの開口を提供する。この場合に、嵌め合わせを改善するために、いくつかの開口にわたってロッドを移動させることで、取り付けを容易に調整することができる。カラーはまた、多くのバッグと調和する無彩色で作製されてよいし、またはバッグの色を引き立てる、すなわちバッグの色に合った複数の色で作製されてもよい。
【手続補正３４】
【補正対象書類名】明細書
【補正対象項目名】００９１
【補正方法】変更
【補正の内容】
【００９１】
表示装置３９２０は、表示装置３８２０とほとんど同様である。３面表示装置３９２０は、３９３０と、３面、すなわち、バッグ３８１０の右側と脚部３８１２の一方との間の領域、脚部３８１２間の領域、およびバッグ３８１０の左側と脚部３８１２の他方との間の領域を形成し、これらの領域に広がる、カラーに取り付けられた布の部分とを含む。連結器アーム３９４０および連結器アーム３９４２が布に取り付けられている。カラーアーム３９４０は、マジックテープの第１の部分を担持し、一方、カラーアーム３９４２は、マジックテープの第２の部分を担持している。カラーアーム３９４０、３９４２は長さが実質的に等しい。その結果、カラーアーム３９４０は、バッグ３８１０の底部分に部分的に巻き付けることができ、カラーアーム３９４２も同様にバッグの底部分の一部に巻き付けられ、バナー３９２０をバッグに取り外し可能に取り付けるために互いに取り付けることができる。
【手続補正３５】
【補正対象書類名】明細書
【補正対象項目名】００９７
【補正方法】変更
【補正の内容】
【００９７】
固定具はまた、実質的にバナーの側部の長さに及ぶマジックテープとすることができる。マジックテープからなる構造体には、通常、バナーがゴルフバッグ脚部の長さに沿って上下にスライドする、またはひだ状になるのを防止するのに十分な剛性がある。さらなる例では、マジックテープの一方の部分は、ゴルフバッグ脚部上の位置に固定される。他方の部分はバナーに固定することができる。２つの部分は取り外し可能に連結することができる。脚部上の位置に、例えば、脚部の長さに沿って恒久的に、または移動できないように固定された第１の部分は、スタンド機構の動作を妨害する可能性を小さくするために、バナーの動作を改善するのに必要な固定具を形成する。
【手続補正３６】
【補正対象書類名】明細書
【補正対象項目名】００９９
【補正方法】変更
【補正の内容】
【００９９】
本明細書で説明したバナーは、ゴルフバッグ脚部の一部であるように形成することもできる。一例では、バナーは脚部内に巻かれ、バナーの一部がスリットから外に突出する。バナーは、ブラインドと同様に構築することができる。バナーが脚部内に完全に引っ込むのを防止するために、バナーの自由端にストッパを取り付けることができる。使用者は、バナーのストッパまたは自由端を把持し、他方のゴルフバック脚部か、またはゴルフバッグのいずれかにある取付具までバナーを引っ張る。バナーは、例えば、本明細書で説明した態様で取付具に固定される。その結果、バナーを容易に展示でき、使用しない場合に格納することができる。
【国際調査報告】
2013529962.tif 000062
2013529962.tif 000063